(57)【要約】本発明は、ネットワークアクセスシステム及び方法を提供する。そのスシステムは、無線インターフェースにより端末ＵＥに接続し、Ｓ１インターフェースにより移動管理エンティティＭＭＥに接続し、制御面データを処理するように設置される制御面ノードと、無線インターフェースにより前記ＵＥに接続し、ＳｓインターフェースによりサービスゲートウェイＳＧＷに接続し、ユーザ面データを処理するように設置されるユーザ面ノードとを有する。本発明によると、関連する技術において、ユーザがセル間でハンドオーバをすることによりノード間の情報交互が頻繁で、コアネットワークに対してインパクトになるという課題が解決され、ノード間の情報交互を減少させ、コアネットワークシグナリングに対するインパクト効果を低減する効果を達成できる。【選択図】図３
2016507976.tif 000002
【特許請求の範囲】
【請求項１】
無線インターフェースにより端末ＵＥに接続し、Ｓ１インターフェースにより移動管理エンティティＭＭＥに接続し、制御面データを処理するように設置される制御面ノードと、
無線インターフェースにより前記ＵＥに接続し、ＳｓインターフェースによりサービスゲートウェイＳＧＷに接続し、ユーザ面データを処理するように設置されるユーザ面ノードとを有するネットワークアクセスシステム。
【請求項２】
前記制御面ノードと前記ユーザ面ノードとの間に接続し、前記制御面ノードが前記ユーザ面ノードと前記ＵＥにより前記制御面データを転送するように設置されるＸｕインターフェースをさらに含む請求項１に記載のシステム。
【請求項３】
Ｘｇインターフェースにより前記ユーザ面ノードに接続し、Ｓ３インターフェースにより前記ＳＧＷに接続し、前記ユーザ面データを転送するように設置されるユーザ面ゲートウェイをさらに含む請求項１又は２に記載のシステム。
【請求項４】
前記ユーザ面ゲートウェイは、さらに、
前記制御面ノードと前記ユーザ面ゲートウェイとの間のＸｃインターフェースのシグナリング接続を確立することと、前記ユーザ面ノードと前記ユーザ面ゲートウェイとの間のＸｇインターフェースのシグナリング接続を確立することと、前記ユーザ面ノードとユーザ面ゲートウェイとの間のＧＴＰ−Ｕチャネルの確立、削除、改正オペレーションを実行すること、前記ユーザ面ゲートウェイと前記ＳＧＷとの間の前記ＧＴＰ−Ｕチャネルの確立、削除および改正を制御することと
の少なくともいずれかの処理を実行する請求項３に記載のシステム。
【請求項５】
前記制御面ノードと前記ユーザ面ゲートウェイとの間に接続し、前記制御面ノードが前記ユーザ面ゲートウェイとＳＧＷとの間のチャネルの確立、削除、改正オペレーションに対して制御する、および／または前記制御面ノードが前記ユーザ面ゲートウェイとユーザ面ノードとの間のチャネルの確立、削除、および改正オペレーションに対して制御するＸｃインターフェースをさらに含む請求項３に記載のシステム。
【請求項６】
前記制御面ノードは、さらに、
前記制御面ノードと前記ユーザ面ノードとの間のＸｕインターフェースのシグナリング接続を確立することと、前記制御面ノードとユーザ面ゲートウェイとの間のＸｃインターフェースのシグナリング接続を確立することと、前記ユーザ面ノードと前記ユーザ面ゲートウェイとの間のユーザ面ＧＰＲＳトンネルプロトコルＧＴＰ−Ｕチャネルの確立、削除、改正を制御すること、前記ユーザ面ゲートウェイと前記ＳＧＷとの間の前記ＧＴＰ−Ｕチャネルの確立、削除および改正を制御すること、前記ユーザ面ノードとＵＥとの間の無線インターフェースの確立、削除、改正を制御することと
の少なくともいずれかの処理を実行する請求項１に記載のシステム。
【請求項７】
前記ユーザ面ノードは、
前記制御面ノードと前記ユーザ面ノードとの間のＸｕインターフェースのシグナリング接続を確立することと、前記ユーザ面ノードとユーザ面ゲートウェイとの間のＸｇインターフェースのシグナリング接続を確立することと、前記ユーザ面ゲートウェイが存在する場合、前記ユーザ面ノードと前記ユーザ面ゲートウェイとの間のＧＴＰ−Ｕチャネルの確立、削除、改正オペレーションを実行すること、前記ユーザ面ゲートウェイが存在しない場合、前記ユーザ面ノードとＳＧＷとの間の前記ＧＴＰ−Ｕチャネルの確立、削除および改正オペレーションを実行すること、前記制御面ノードと前記ＵＥとの間で伝送される制御面データを転送することと
の少なくともいずれかの処理を実行する請求項１に記載のシステム。
【請求項８】
制御面ノードが端末ＵＥアクセスネットワークの制御面データを処理し、前記制御面ノードが無線インターフェースにより端末ＵＥに接続し、Ｓ１インターフェースにより移動管理エンティティＭＭＥに接続する制御面リンクを確立することと、
１つまたは複数のユーザ面ノードが前記ＵＥアクセスネットワークのユーザ面データを処理し、前記ユーザ面ノードが無線インターフェースにより前記ＵＥに接続し、ＳｓインターフェースによりサービスゲートウェイＳＧＷに接続する１本または複数本のユーザ面リンクを確立することと、
前記制御面リンクにより前記制御面データを処理することと、
前記ユーザ面リンクにより前記ユーザ面データを処理すること、
とを含むネットワークアクセス方法。
【請求項９】
前記制御面ノードが前記ＵＥアクセスネットワークの前記制御面データを処理する前記制御面リンクを確立することは、
前記ＭＭＥに接続する前記制御面ノードと前記ＵＥに接続する１つ又は複数の前記ユーザ面ノードとの間で、前記制御面データを転送する１つ又は複数のＸｕインターフェースを含む請求項８に記載の方法。
【請求項１０】
前記ＳＧＷと、前記ＵＥに接続する１つまたは複数のユーザ面ノードとの間に、前記ユーザ面データを転送する１つまたは複数のユーザ面ゲートウェイが存在する場合、１つまたは複数のユーザ面ノードが前記ＵＥアクセスネットワークのユーザ面データを処理する１本または複数本のユーザ面リンクを確立することは、
前記制御面ノードと前記１つまたは複数のユーザ面ゲートウェイとの間で、前記制御面ノードが前記ユーザ面ゲートウェイに対して前記ユーザ面データを転送することを制御する１つまたは複数のＸｃインターフェースを確立する、および／または、
前記ユーザ面ノードと前記１つまたは複数のユーザ面ゲートウェイとの間で、前記ユーザ面データを転送するための１つまたは複数のＸｇインターフェースを確立することを含む請求項８に記載の方法。
【請求項１１】
前記制御面リンクにより前記制御面データを処理することは、
前記ＵＥがランダムにアクセスを実行している問題を報告することと、無線リンク制御ＲＬＣの達する回数閾値を報告することとの少なくともいずれかを含む前記ユーザ面ノードから前記制御面ノードまでの処理と、
データ伝達、パラメータ配置、パラメータ再配置、メディアアクセス制御層ＭＡＣリセット、無線リンク制御ＲＬＣとパケットデータアグリゲーションレイヤＰＤＣＰエンティティとの間のリンク確立、前記ＲＬＣと前記ＰＤＣＰエンティティ間のリンクリリース、前記ＲＬＣと前記ＰＤＣＰエンティティ間の再確立、検証一致性保護と完全性アルゴリズム、底層同期ステータス報告、セル脱活性化状態報告の少なくともいずれかを含む前記制御面ノードから前記ユーザ面ノードまでの処理とをさらに含む請求項８に記載の方法。
【請求項１２】
制御面ノードが端末ＵＥアクセスネットワークの制御面データを処理し、前記制御面ノードが無線インターフェースにより端末ＵＥに接続し、Ｓ１インターフェースにより移動管理エンティティＭＭＥに接続する制御面リンクを確立するように設置される第１の確立モジュールと、
１つまたは複数のユーザ面ノードが前記ＵＥアクセスネットワークのユーザ面データを処理し、前記ユーザ面ノードが無線インターフェースにより前記ＵＥに接続し、Ｓ１インターフェースによりサービスゲートウェイＳＧＷに接続する１本または複数本のユーザ面リンクを確立するように設置される第２の確立モジュールと、
前記制御面リンクにより前記制御面データを処理するように設置される第１の処理モジュールと、
前記ユーザ面リンクにより前記ユーザ面データを処理するように設置される第２の処理モジュールとを含むネットワークアクセスシステム。
【請求項１３】
前記第１の確立モジュールは、
前記ＭＭＥに接続する前記制御面ノードと前記ＵＥに接続する１つまたは複数のユーザ面ノードとの間で、前記制御面データを転送する１つまたは複数のＸｕインターフェースを確立するように設置される第１の確立ユニットを含む請求項１２に記載のシステム。
【請求項１４】
前記第２の確立モジュールは、
前記制御面ノードと前記１つまたは複数のユーザ面ゲートウェイとの間で、前記制御面ノードが前記ユーザ面ゲートウェイに対して前記ユーザ面データを転送することを制御する１つまたは複数のＸｃインターフェースを確立するように設置される第２の確立ユニット、および／または
前記ユーザ面ノードと前記１つまたは複数のユーザ面ゲートウェイとの間で、前記ユーザ面データを転送するための１つまたは複数のＸｇインターフェースを確立するように設置される第３の確立ユニットを含む請求項１２に記載のシステム。
【請求項１５】
前記第１の処理モジュールは、
前記ＵＥがランダムにアクセスを実行している問題を報告することと、無線リンク制御ＲＬＣの達する回数閾値を報告することとの少なくともいずれかを含む前記ユーザ面ノードから前記制御面ノードまでの処理と、
データ伝達、パラメータ配置、パラメータ再配置、メディアアクセス制御層ＭＡＣリセット、無線リンク制御ＲＬＣとパケットデータアグリゲーションレイヤＰＤＣＰエンティティとの間のリンク確立、前記ＲＬＣと前記ＰＤＣＰエンティティ間のリンクリリース、前記ＲＬＣと前記ＰＤＣＰエンティティ間の再確立、検証一致性保護と完全性アルゴリズム、底層同期ステータス報告、セル脱活性化状態報告の少なくともいずれかを含む前記制御面ノードから前記ユーザ面ノードまでの処理と
を実行する請求項１２に記載のシステム。
【請求項１６】
無線インターフェースにより端末ＵＥに接続し、Ｓ１インターフェースによりコアネットワークに接続し、Ｘｘインターフェースにより１つまたは複数のマイクロセルに接続し、前記ＵＥに対して前記１つまたは複数のマイクロセルにより前記コアネットワークにアクセスするＸｘインターフェースと無線インターフェースの制御面データを処理するように設置されるマクロセルと、
無線インターフェースにより端末ＵＥに接続し、Ｓ２インターフェースによりコアネットワークに接続し、Ｘｘインターフェースにより前記マクロセルに接続し、前記ＵＥに対して前記１つまたは複数のマイクロセルにより前記コアネットワークにアクセスするＸｘインターフェースとＳ２インターフェースの制御面データとユーザ面データを処理するように設置される前記１つまたは複数のマイクロセルとを含むネットワークアクセスシステム。
【請求項１７】
前記Ｓ２インターフェースにより前記コアネットワークと前記マイクロセルに接続し、前記マイクロセルと前記コアネットワークとの間のユーザ面ＧＰＲＳトンネルプロトコルＧＴＰ−Ｕチャネルを制御するように設置されるマイクロセルゲートウェイさらに含む請求項１６に記載のシステム。
【請求項１８】
ＵＥが１つまたは複数のマイクロセルによりコアネットワークにアクセスする制御面データを処理し、マクロセルが無線インターフェースにより端末ＵＥに接続し、Ｘｘインターフェースにより、Ｓ２インターフェースを介し前記コアネットワークに接続する前記１つまたは複数のマイクロセルに接続する制御面リンクを確立することと、
前記ＵＥが前記１つまたは複数のマイクロセルにより前記コアネットワークにアクセスするユーザ面データを処理し、前記１つまたは複数のマイクロセルが無線インターフェースにより端末ＵＥに接続し、Ｓ２インターフェースにより前記コアネットワークに接続し、Ｘｘインターフェースインターフェースにより前記マクロセルに接続するユーザ面リンクを確立することと、
前記制御面リンクにより前記制御面データを処理することと、
前記ユーザ面リンクにより前記ユーザ面データを処理することとを含むネットワークアクセス方法を提供する。
【請求項１９】
前記ＵＥが前記１つまたは複数のマイクロセルにより前記コアネットワークにアクセスするユーザ面データを処理する前記マイクロセルと前記コアネットワーク間のＳ２インターフェユーザ面リンクを確立することは、
コアネットワークとマイクロセルゲートウェイとの間のユーザ面ＧＰＲＳトンネルプロトコルＧＴＰ−Ｕチャネルを確立することと、
マイクロセルゲートウェイと前記１つまたは複数のマイクロセルとの間のユーザ面ＧＰＲＳトンネルプロトコルＧＴＰ−Ｕチャネルを確立することを含む請求項１８に記載の方法。
【請求項２０】
前記制御面リンクにより前記制御面データを処理することは、
前記マクロセルと前記１つまたは複数のマイクロセルとの間のＸｘインターフェースのシグナリング接続を確立することと、前記１つまたは複数のマイクロセルと前記コアネットワークとの間のユーザ面ＧＰＲＳトンネルプロトコルＧＴＰ−Ｕチャネルの確立、削除、更新を制御することと、前記ＵＥと前記１つまたは複数のマイクロセル間の無線ベアラを確立することと、Ｘｘインターフェースによりマクロセルと前記１つまたは複数のマイクロセルとの間のＩＰパケットのフォワードを処理することと
の少なくともいずれかを含む請求項１８に記載の方法。
【請求項２１】
前記ユーザ面リンクにより前記ユーザ面データを処理することは、
マイクロセルゲートウェイと前記コアネットワークとの間のユーザ面ＧＰＲＳトンネルプロトコルＧＴＰ−Ｕチャネルを保持することと、
保持する前記ＧＴＰ−Ｕチャネルに基づいて前記ユーザ面データを処理することとを含む請求項１８に記載の方法。
【請求項２２】
ＵＥに対して、Ｓ２インターフェースによりコアネットワークに接続する１つまたは複数のマイクロセルにより前記コアネットワークにアクセスする制御面データを処理し、マクロセルが無線インターフェースにより端末ＵＥに接続し、Ｓ１インターフェースにより前記コアネットワークに接続し、Ｘｘインターフェースにより前記１つまたは複数のマイクロセルに接続する制御面リンクを確立するように設置される第３の確立モジュールと、
前記ＵＥに対して前記１つまたは複数のマイクロセルにより前記コアネットワークにアクセスするユーザ面データを処理し、１つまたは複数のマイクロセルが無線インターフェースにより端末ＵＥに接続し、Ｓ２インターフェースにより前記コアネットワークに接続し、Ｘｘインターフェースにより前記マクロセルに接続するユーザ面リンクを確立するように設置される第４の確立モジュールと、
前記制御面リンクにより前記制御面データを処理するように設置される第３の処理モジュールと、
前記ユーザ面リンクにより前記ユーザ面データを処理するように設置される第４の処理モジュールとを含むネットワークアクセスシステム。
【請求項２３】
前記第４の確立モジュールは、
コアネットワークとマイクロセルゲートウェイとの間のユーザ面ＧＰＲＳトンネルプロトコルＧＴＰ−Ｕチャネルを確立するように設置される第４の確立ユニットと、
マイクロセルゲートウェイと前記１つまたは複数のマイクロセルとの間のユーザ面ＧＰＲＳトンネルプロトコルＧＴＰ−Ｕチャネルを確立するように設置される第５の確立ユニットとを含む請求項２２に記載のシステム。
【請求項２４】
前記第３の処理モジュールは、
前記マクロセルと前記１つまたは複数のマイクロセルとの間のＸｘインターフェースのシグナリング接続を確立することと、前記１つまたは複数のマイクロセルと前記コアネットワークとの間のユーザ面ＧＰＲＳトンネルプロトコルＧＴＰ−Ｕチャネルの確立、削除、更新を制御することと、前記ＵＥと前記１つまたは複数のマイクロセルとの間の無線ベアラを確立することと、Ｘｘインターフェースによりマクロセルと前記１つまたは複数のマイクロセルとの間のＩＰパケットのフォワードを処理することと
の少なくともいずれかの処理を実行する請求項２２に記載のシステム。
【請求項２５】
前記第４の処理モジュールは、
マイクロセルゲートウェイと前記コアネットワークとの間のユーザ面ＧＰＲＳトンネルプロトコルＧＴＰ−Ｕチャネルを保持するように設置される保持ユニットと、
保持される前記ＧＴＰ−Ｕチャネルにより前記ユーザ面データを処理するように設置される処理ユニットとを含む請求項２２に記載のシステム。
【発明の詳細な説明】
【技術分野】
【０００１】
本発明は通信分野に関し、具体的には、ネットワークアクセスシステムおよび方法に関するものである。
【背景技術】
【０００２】
図１は関連技術におけるロングタームエボリューションシステム（Ｌｏｎｇ  Ｔｅｒｍ  Ｅｖｏｌｕｔｉｏｎ、ＬＴＥという）の全体アーキテクチャを示す図である。図１に示すように、当該アーキテクチャは、移動管理エンティティ（Ｍｏｂｉｌｉｔｙ  Ｍａｎａｇｅｍｅｎｔ  Ｅｎｔｉｔｙ、ＭＭＥという）と、サービスゲートウェイ（Ｓｅｒｖｉｎｇ  ＧｅｔＷａｙ、ＳＧＷという）とを含む。ユーザ機器または端末（Ｕｓｅｒ  Ｅｑｕｉｐｍｅｎｔ、ＵＥという）と基地局（ｅＮｏｄｅＢ、ｅＮＢという）との間がＵＵインターフェースであり、ｅＮＢとＭＭＥとの間がＳ１ーＭＭＥインターフェースであり、ｅＮＢとＳＧＷとの間がＳ１−Ｕインターフェースであり、ｅＮＢの間がＸ２インターフェースである。図２は関連技術におけるＬＴＥのＵＥとｅＮＢ、コアインターネット（ＭＭＥとＳＧＷ）間の制御面およびユーザ面のプロトコルアーキテクチャを示す図であり、図２の左側に示すように、ＬＴＥにおけるＵＥとｅＮＢ間のインターフェースは下から上へ、物理層（Ｐｈｙｓｉｃａｌ  ｌａｙｅｒ、ＰＨＹという）と、メディアアクセスコントロールレイヤ（Ｍｅｄｉａ  Ａｃｃｅｓｓ  Ｃｏｎｔｒｏｌ、ＭＡＣという）と、無線リンク制御層（Ｒａｄｉｏ  Ｌｉｎｋ  Ｃｏｎｔｒｏｌ、ＲＬＣという）と、パケットデータコンバージェンスレイヤ（Ｐａｃｋｅｔ  Ｄａｔｅ  Ｃｏｎｖｅｒｇｅｎｃｅ  Ｐｒｏｔｏｃｏｌ、ＰＤＣＰという）、無線リソース制御レイヤ（Ｒａｄｉｏ  Ｒｅｓｏｕｒｃｅ  Ｃｏｎｔｒｏｌ、ＲＲＣという）とに区画される。図２の右側に示すように、ＬＴＥにおけるＵＥとｅＮＢ間インターフェースのユーザ面プロトコルスタックは下から上へ、伝送チャネルによりＭＡＣまたはより高いレイヤに情報を伝送するＰＨＹ層と、ロジックチャネルによりデータ伝送と無線リソース割り当てをして、ハイブリッド自動要求（Ｈｙｂｒｉｄ  ＡＲＱ、ＨＡＲＱという）や、スケジューリング（Ｓｃｈｅｄｕｌｉｎｇ、ＳＣＨという）、優先度処理および多重化逆多重化（Ｍｕｌｔｉｐｌｅｘｉｎｇ、ＭＵＸという）などの機能を実現するＭＡＣ層と、ユーザと制御データのセクションや再送サービスを提供するＲＬＣ層と、ＲＲＣまたはユーザ面の上層にユーザデータの伝送をするＰＤＣＰ層と、ブロードキャスト（Ｂｒｏａｄｃａｓｔ）、ペーシング（Ｐａｇｉｎｇ）、無線リソース制御アクセス管理、無線ベアラ制御、移動性機能、端末測定報告と制御などをするＲＲＣ層とに区画される。
【０００３】
移動ユーザにより高いデータレートを提供するために、高級ロングタームエボリューション（Ｌｏｎｇ  Ｔｅｒｍ  Ｅｖｏｌｕｔｉｏｎ  Ａｄｖａｎｃｅ、ＬＴＥ−Ａという）は、対応する能力を有するＵＥにより大きな帯域幅を提供し、ＵＥのピーチレートを高めることを目的とするキャリアアグリゲーション（Ｃａｒｒｉｅｒ  Ａｇｇｒｅｇａｔｉｏｎ、ＣＡという）を提案した。ＬＴＥにおいて、システムによりサポートされる最大下りリンク伝送帯域幅は２０ＭＨｚであり、ＵＥがアクセス状態になってから、あるセルによりネットワーク側と通信を行い、キャリアアグリゲーションは、２つまたはより多くのコンポーネントキャリア（Ｃｏｍｐｏｎｅｎｔ  Ｃａｒｒｉｅｒ、ＣＣという）をアグリゲーションして、２０Ｍｈｚを超え、１００ＭＨｚ未満の伝送帯域幅をサポートし、対応する能力を有するＵＥは同一基地局の複数のセルにデータの受送信を同時にすることができる。ＵＥと基地局間のインターフェースプロトコルスタックは、主にＭＡＣとＰＨＹ層が異なっている。ＰＨＹ層はＣＣ専用である一方、ＭＡＣの異なりはＭＡＣ層におけるＨＡＲＱはＣＣ専用なもので、スケジューリング、優先度処理および多重化逆多重化などはＣＣ通用のものであることにある。
【０００４】
スペクトルリソースの乏しさ、および移動ユーザの大流量サービスの激増により、例えば３．５ＧＨｚの高周波ポイントでホットスポットのカバレッジをするというニーズが日増しに著しくなり、低電力のノードを新たな応用場面にして、ユーザのスループットの増加と移動性能の強化を図っている。しかし、高周波ポイントの信号減衰が速いため、新しいセルのカバレッジ範囲が小さく、また既存のセルと基地局を共有できないため、ユーザがこれらの新しいセル間に移動する、または新しいセルと既存セルを移動する場合、頻繁なハンドオーバが生じ、基地局間でユーザ信号を頻繁に伝送され、コアネットワークに対して大きなシグナリングインパクトになる。
【発明の概要】
【発明が解決しようとする課題】
【０００５】
本発明は、少なくとも関連技術においてユーザがセル間でハンドオーバすることによりノード間の情報交互が頻繁になり、コアネットワークに対してインパクトになるなどの問題を解決するために、ネットワークアクセスシステムおよび方法を提供する。
【課題を解決するための手段】
【０００６】
本発明の一つの方面によると、無線インターフェースにより端末ＵＥに接続し、Ｓ１インターフェースにより移動管理エンティティＭＭＥに接続し、制御面データを処理するように設置される制御面ノードと、無線インターフェースにより前記ＵＥに接続し、ＳｓインターフェースによりサービスゲートウェイＳＧＷに接続し、ユーザ面データを処理するように設置されるユーザ面ノードとを有するネットワークアクセスシステムを提供する。
【０００７】
当該システムは、さらに、前記制御面ノードと前記ユーザ面ノードとの間に接続し、前記制御面ノードが前記ユーザ面ノードと前記ＵＥにより前記制御面データを転送するように設置されるＸｕインターフェースを含むことが好ましい。
【０００８】
当該システムは、さらに、Ｘｇインターフェースにより前記ユーザ面ノードに接続し、Ｓ３インターフェースにより前記ＳＧＷに接続し、前記ユーザ面データを転送するように設置されるユーザ面ゲートウェイを含むことが好ましい。
【０００９】
前記ユーザ面ゲートウェイは、さらに、前記制御面ノードと前記ユーザ面ゲートウェイとの間のＸｃインターフェースのシグナリング接続を確立することと、前記ユーザ面ノードと前記ユーザ面ゲートウェイとの間のＸｇインターフェースのシグナリング接続を確立することと、前記ユーザ面ノードとユーザ面ゲートウェイとの間のＧＴＰ−Ｕチャネルの確立、削除、改正オペレーションを実行すること、前記ユーザ面ゲートウェイと前記ＳＧＷとの間の前記ＧＴＰ−Ｕチャネルの確立、削除および改正を制御することとの少なくともいずれかの処理を実行することが好ましい。
【００１０】
当該システムは、さらに、前記制御面ノードと前記ユーザ面ゲートウェイとの間に接続し、前記制御面ノードが前記ユーザ面ゲートウェイとＳＧＷとの間のチャネルの確立、削除、改正オペレーションに対して制御する、および／または前記制御面ノードが前記ユーザ面ゲートウェイとユーザ面ノードとの間のチャネルの確立、削除、および改正オペレーションに対して制御するＸｃインターフェースを含むことが好ましい。
【００１１】
前記制御面ノードは、さらに、前記制御面ノードと前記ユーザ面ノードとの間のＸｕインターフェースのシグナリング接続を確立することと、前記制御面ノードと前記ユーザ面ゲートウェイとの間のＸｃインターフェースのシグナリング接続を確立することと、前記ユーザ面ノードとユーザ面ゲートウェイとの間のユーザ面ＧＰＲＳトンネルプロトコルＧＴＰ−Ｕチャネルの確立、削除、改正を制御すること、前記ユーザ面ゲートウェイと前記ＳＧＷとの間の前記ＧＴＰ−Ｕチャネルの確立、削除および改正を制御すること、前記ユーザ面ノードとＵＥとの間の無線インターフェースの確立、削除、改正を制御することとの少なくともいずれかの処理を実行することが好ましい。
【００１２】
当該システムは、さらに、前記制御面ノードと前記ユーザ面ノードとの間のＸｕインターフェースのシグナリング接続を確立することと、前記ユーザ面ノードと前記ユーザ面ゲートウェイとの間のＸｇインターフェースのシグナリング接続を確立することと、前記ユーザ面ゲートウェイが存在する場合、前記ユーザ面ノードとユーザ面ゲートウェイとの間のＧＴＰ−Ｕチャネルの確立、削除、改正オペレーションを実行すること、前記ユーザ面ゲートウェイが存在しない場合、前記ユーザ面ノードとＳＧＷとの間の前記ＧＴＰ−Ｕチャネルの確立、削除および改正オペレーションを実行すること、前記制御面ノードと前記ＵＥとの間で伝送される制御面データを転送することとの少なくともいずれかの処理を実行する前記ユーザ面ノードを含むことが好ましい。
【００１３】
本発明のもう一つの方面によると、制御面ノードが端末ＵＥアクセスネットワークの制御面データを処理し、前記制御面ノードが無線インターフェースにより端末ＵＥに接続し、Ｓ１インターフェースにより移動管理エンティティＭＭＥに接続する制御面リンクを確立することと、１つまたは複数のユーザ面ノードが前記ＵＥアクセスネットワークのユーザ面データを処理し、前記ユーザ面ノードが無線インターフェースにより前記ＵＥに接続し、ＳｓインターフェースによりサービスゲートウェイＳＧＷに接続する１本または複数本のユーザ面リンクを確立することと、前記制御面リンクにより前記制御面データを処理することと、前記ユーザ面リンクにより前記ユーザ面データを処理することとを含むネットワークアクセス方法を提供する。
【００１４】
前記制御面ノードが前記ＵＥアクセスネットワークの前記制御面データーを処理する前記制御面リンクを確立することは、前記ＭＭＥに接続する前記制御面ノードと前記ＵＥに接続する１つ又は複数の前記ユーザノードとの間で、前記制御面データを転送する１つ又は複数のＸｕインターフェースを含むことが好ましい。
【００１５】
前記ＳＧＷと、前記ＵＥに接続する１つまたは複数のユーザ面ノードとの間に、前記ユーザ面データを転送する１つまたは複数のユーザ面ゲートウェイが存在する場合、１つまたは複数のユーザ面ノードが前記ＵＥアクセスネットワークのユーザ面データを処理する１本または複数本のユーザ面リンクを確立することは、前記制御面ノードと前記１つまたは複数のユーザ面ゲートウェイとの間で、前記制御面ノードが前記ユーザ面ゲートウェイに対して前記ユーザ面データを転送することを制御する１つまたは複数のＸｃインターフェースを確立する、および／または前記ユーザ面ノードと前記１つまたは複数のユーザ面ゲートウェイとの間で前記ユーザ面データを転送するための１つまたは複数のＸｇインターフェースを確立することをさらに含むことが好ましい。
【００１６】
前記制御面リンクにより前記制御面データを処理することは、前記ＵＥがランダムにアクセスを実行している問題を報告することと、無線リンク制御ＲＬＣの達する回数閾値を報告することとの少なくともいずれかを含む前記ユーザ面ノードから前記制御面ノードまでの処理と、データ伝達、パラメータ配置、パラメータ再配置、メディアアクセス制御層ＭＡＣリセット、無線リンク制御ＲＬＣとパケットデータアグリゲーションレイヤＰＤＣＰエンティティとの間のリンク確立、前記ＲＬＣと前記ＰＤＣＰエンティティ間のリンクリリース、前記ＲＬＣと前記ＰＤＣＰエンティティ間の再確立、一致性保護と完全性アルゴリズム検証、底層同期ステータス報告、セル脱活性化状態報告の少なくともいずれかを含む前記制御面ノードから前記ユーザ面ノードまでの処理とをさらに含むことが好ましい。
【００１７】
本発明のもう一つの方面によると、制御面ノードが端末ＵＥアクセスネットワークの制御面データを処理し、前記制御面ノードが無線インターフェースにより端末ＵＥに接続し、Ｓ１インターフェースにより移動管理エンティティＭＭＥに接続する制御面リンクを確立するように設置される第１の確立モジュールと、１つまたは複数のユーザ面ノードが前記ＵＥアクセスネットワークのユーザ面データを処理し、前記ユーザノードが無線インターフェースにより前記ＵＥに接続し、Ｓ１インターフェースによりサービスゲートウェイＳＧＷに接続する１本または複数本のユーザ面リンクを確立するように設置される第２の確立モジュールと、前記制御面リンクにより前記制御面データを処理するように設置される第１の処理モジュールと、前記ユーザ面リンクにより前記ユーザ面データを処理するように設置される第２の処理モジュールととを含むネットワークアクセスシステムを提供する。
【００１８】
前記第１の確立モジュールは、前記ＭＭＥに接続する前記制御面ノードと前記ＵＥに接続する１つまたは複数のユーザ面ノードとの間で、前記制御面データを転送する１つまたは複数のＸｕインターフェースを確立するように設置される第１の確立ユニットを含むことが好ましい。
【００１９】
前記第２の確立モジュールは、前記制御面ノードと前記１つまたは複数のユーザ面ゲートウェイとの間で、前記制御面ノードが前記ユーザ面ゲートウェイに対して前記ユーザ面データを転送することを制御する１つまたは複数のＸｃインターフェースを確立するように設置される第２の確立ユニット、および／または前記ユーザ面ノードと前記１つまたは複数のユーザ面ゲートウェイとの間で前記ユーザ面データを転送するための１つまたは複数のＸｇインターフェースを確立するように設置される第３の確立ユニットを含むことが好ましい。
【００２０】
前記第１の処理モジュールは、前記ＵＥがランダムにアクセスを実行している問題を報告することと、無線リンク制御ＲＬＣの達する回数閾値を報告することとの少なくともいずれかを含む前記ユーザ面ノードから前記制御面ノードまでの処理と、データ伝達、パラメータ配置、パラメータ再配置、メディアアクセス制御層ＭＡＣリセット、無線リンク制御ＲＬＣとパケットデータアグリゲーションレイヤＰＤＣＰエンティティとの間のリンク確立、前記ＲＬＣと前記ＰＤＣＰエンティティ間のリンクリリース、前記ＲＬＣと前記ＰＤＣＰエンティティ間の再確立、一致性保護と完全性アルゴリズム検証、底層同期ステータス報告、セル脱活性化状態報告の少なくともいずれかを含む前記制御面ノードから前記ユーザ面ノードまでの処理とを実行することが好ましい。
【００２１】
本発明のもう一つの方面によると、無線インターフェースにより端末ＵＥに接続し、Ｓ１インターフェースによりコアネットワークに接続し、Ｘｘインターフェースにより１つまたは複数のマイクロセルに接続し、前記ＵＥに対して前記１つまたは複数のマイクロセルにより前記コアネットワークにアクセスするＸｘインターフェースと無線インターフェースの制御面データを処理するように設置されるマクロセルと、無線インターフェースにより端末ＵＥに接続し、Ｓ２インターフェースによりコアネットワークに接続し、Ｘｘインターフェースにより前記マクロセルに接続して、前記ＵＥに対して前記１つまたは複数のマイクロセルにより前記コアネットワークにアクセスするＸｘインターフェースとＳ２インターフェースの制御面データとユーザ面データを処理するように設置される前記１つまたは複数のマイクロセルとを含むネットワークアクセスシステムを提供する。
【００２２】
前記システムは、前記Ｓ２インターフェースにより前記コアネットワークと前記マイクロセルに接続し、前記マイクロセルと前記コアネットワークとの間のユーザ面ＧＰＲＳトンネルプロトコルＧＴＰ−Ｕチャネルを制御するように設置されるマイクロセルゲートウェイさらに含むことが好ましい。
【００２３】
本発明のもう一つの方面によると、前記ＵＥが１つまたは複数のマイクロセルにより前記コアネットワークにアクセスする制御面データを処理し、マクロセルが無線インターフェースにより端末ＵＥに接続し、Ｘｘインターフェースにより、Ｓ２インターフェースを介し前記コアネットワークに接続する前記１つまたは複数のマイクロセルに接続する制御面リンクを確立することと、前記ＵＥが前記１つまたは複数のマイクロセルにより前記コアネットワークにアクセスするユーザ面データを処理し、前記１つまたは複数のマイクロセルが無線インターフェースにより端末ＵＥに接続し、Ｓ２インターフェースによりコアネットワークに接続し、Ｘｘインターフェースインターフェースにより前記マクロセルに接続するユーザ面リンクを確立することと、前記制御面リンクにより前記制御面データを処理することと、前記ユーザ面リンクにより前記ユーザ面データを処理することとを含むネットワークアクセス方法を提供する。
【００２４】
前記ＵＥが前記１つまたは複数のマイクロセルにより前記コアネットワークにアクセスするユーザ面データを処理する前記マイクロセルと前記コアネットワーク間のＳ２インターフェユーザ面リンクを確立することは、コアネットワークとマイクロセルゲートウェイとの間のユーザ面ＧＰＲＳトンネルプロトコルＧＴＰ−Ｕチャネルを確立することと、マイクロセルゲートウェイと前記１つまたは複数のマイクロセルとの間のユーザ面ＧＰＲＳトンネルプロトコルＧＴＰ−Ｕチャネルを確立することとを含むことが好ましい。
【００２５】
前記制御面リンクにより前記制御面データを処理することは、前記マクロセルと前記１つまたは複数のマイクロセルとの間のＸｘインターフェースのシグナリング接続を確立することと、前記１つまたは複数のマイクロセルと前記コアネットワークとの間のユーザ面ＧＰＲＳトンネルプロトコルＧＴＰ−Ｕチャネルの確立、削除、更新を制御することと、前記ＵＥと前記１つまたは複数のマイクロセル間の無線ベアラを確立することと、Ｘｘインターフェースによりマクロセルと前記１つまたは複数のマイクロセルとの間のＩＰパケットのフォワードを処理することとの少なくともいずれかを含むことが好ましい。
【００２６】
前記ユーザ面リンクにより前記ユーザ面データを処理することは、前記マイクロセルゲートウェイと前記コアネットワークとの間のユーザ面ＧＰＲＳトンネルプロトコルＧＴＰ−Ｕチャネルを保持することと、保持する前記ＧＴＰ−Ｕチャネルに基づいて前記ユーザ面データを処理することとを含むことが好ましい。
【００２７】
本発明のもう一つの方面によると、前記ＵＥに対して、Ｓ２インターフェースにより前記コアネットワークに接続する１つまたは複数のマイクロセルにより前記コアネットワークにアクセスする制御面データを処理し、マクロセルが無線インターフェースにより端末ＵＥに接続し、Ｓ１インターフェースにより前記コアネットワークに接続し、Ｘｘインターフェースにより前記１つまたは複数のマイクロセルに接続する制御面リンクを確立するように設置される第３の確立モジュールと、前記ＵＥに対して前記１つまたは複数のマイクロセルにより前記コアネットワークにアクセスするユーザ面データを処理し、１つまたは複数のマイクロセルが無線インターフェースにより端末ＵＥに接続し、Ｓ２インターフェースによりコアネットワークに接続し、Ｘｘインターフェースにより前記マクロセルに接続するユーザ面リンクを確立するように設置される第４の確立モジュールと、前記制御面リンクにより前記制御面データを処理するように設置される第３の処理モジュールと、前記ユーザ面リンクにより前記ユーザ面データを処理するように設置される第４の処理モジュールとを含むネットワークアクセスシステムを提供する。
【００２８】
前記第４の確立モジュールは、コアネットワークとマイクロセルゲートウェイとの間のユーザ面ＧＰＲＳトンネルプロトコルＧＴＰ−Ｕチャネルを確立するように設置される第４の確立ユニットと、マイクロセルゲートウェイと前記１つまたは複数のマイクロセルとの間のユーザ面ＧＰＲＳトンネルプロトコルＧＴＰ−Ｕチャネルを確立するように設置される第５の確立ユニットとを含むことが好ましい。
【００２９】
前記第３の処理モジュールは、前記マクロセルと前記１つまたは複数のマイクロセルとの間のＸｘインターフェースのシグナリング接続を確立することと、前記１つまたは複数のマイクロセルと前記コアネットワークとの間のユーザ面ＧＰＲＳトンネルプロトコルＧＴＰ−Ｕチャネルの確立、削除、更新を制御することと、前記ＵＥと前記１つまたは複数のマイクロセルとの間の無線ベアラを確立することと、Ｘｘインターフェースによりマクロセルと前記１つまたは複数のマイクロセルとの間のＩＰパケットのフォワードを処理することとの少なくともいずれかの処理を実行することが好ましい。
【００３０】
前記第４の処理モジュールは、前記マイクロセルゲートウェイと前記コアネットワークとの間のユーザ面ＧＰＲＳトンネルプロトコルＧＴＰ−Ｕチャネルを保持するように設置される保持ユニットと、保持される前記ＧＴＰ−Ｕチャネルにより前記ユーザ面データを処理するように設置される処理ユニットとを含むことが好ましい。
【００３１】
本発明によると、無線インターフェースにより端末ＵＥに接続し、Ｓ１インターフェースにより移動管理エンティティＭＭＥに接続し、制御面データを処理する制御面ノードと、無線インターフェースにより前記ＵＥに接続し、ＳｓインターフェースによりサービスゲートウェイＳＧＷに接続し、ユーザ面データを処理するユーザ面ノードとを採用することで、関連する技術において、ユーザがセル間でハンドオーバをすることによりノード間の情報交互が頻繁で、コアネットワークに対してインパクトになるという課題が解決され、ノード間の情報交互を減少させ、コアネットワークシグナリングに対するインパクト効果を低減する効果を達成できる。
【図面の簡単な説明】
【００３２】
ここで説明する図面は本発明をさらに理解してもらうために提供され、本発明の一部分を構成する。本発明の例示的実施例およびその説明は本発明を解釈するもので、本発明に対する不適切な限定にはならない。
【００３３】
【図１】関連技術におけるロングタームエボリューションシステムの全体アーキテクチャ図である。
【図２】関連技術におけるＬＴＥのＵＥとｅＮＢ、コアネットワーク（ＭＭＥとＳＧＷ）との間の制御面およびユーザ面のプロトコルアーキテクチャを示す図である。
【図３】本発明の実施例に係わるネットワークアクセスシステムの構造ブロック図一である。
【図４】本発明の実施例に係わるネットワークアクセスシステムの好適な構造ブロック図一である。
【図５】本発明の実施例に係わるネットワークアクセスシステムの好適な構造ブロック図一である。
【図６】本発明の実施例に係わるネットワークアクセスシステムの好適な構造ブロック図一である。
【図７】本発明の実施例に係わるネットワークアクセス方法のフローチャート図である。
【図８】本発明の実施例に係わるネットワークアクセスシステムの構造ブロック図二である。
【図９】本発明の実施例に係わるネットワークアクセスシステムの第１の確立モジュール８２の好適な構造ブロック図二である。
【図１０】本発明の実施例に係わるネットワークアクセスシステムの第２の確立モジュール８４の好適な構造ブロック図二である。
【図１１】本発明の実施例に係わるネットワークアクセスシステムの構造ブロック図三である。
【図１２】本発明の実施例に係わるネットワークアクセスシステムの好適な構造ブロック図三である。
【図１３】本発明の実施例に係わるネットワークアクセス方法のフローチャート図である。
【図１４】本発明の実施例に係わるネットワークアクセスシステムの構造ブロック図四である。
【図１５】本発明の実施例に係わるネットワークアクセスシステムの第４の確立モジュール１４４の好適な構造ブロック図である。
【図１６】本発明の実施例に係わるネットワークアクセスシステムにおける第４の処理モジュール１４８の好適な構造ブロック図である。
【図１７ａ】本発明の実施例に係わるＵＥが新しいセルのみとデータ接続を有するネットワークアーキテクチャ図である。
【図１７ｂ】本発明の実施例に係わるＵＥが新しいセルと既存セルとのいずれもデータ接続を有するネットワークアーキテクチャ図である。
【図１８】図１７ａ、図１７ｂに対応するシステムプロトコルアーキテクチャ。
【図１９ａ】本発明の実施例に係わるＸｕインターフェースの確立のフローチャート図である。
【図１９ｂ】本発明の実施例に係わるＸｕインターフェースのリリースのフローチャート図である。
【図１９ｃ】本発明の実施例に係わるランダムアクセスの実行プロセス／ＲＬＣ送信が最大回数に達することを報告するフローチャートを示す図である。
【図１９ｄ】本発明の実施例に係わるデータ伝送のフロチャートを示す図である。
【図１９ｅ】本発明の実施例に係わるパラメータ配置と再配置のフロチャートを示す図である。
【図１９ｆ】本発明の実施例に係わるＭＡＣリセットのフロチャートを示す図である。
【図１９ｇ】本発明の実施例に係わる検証一致性保護および／または完全性アルゴリズム要求のフロチャートを示す図である。
【図１９ｈ】本発明の実施例に係わる底層同期ステータス報告のフロチャートを示す図である。
【図１９ｉ】本発明の実施例に係わるセルステータス報告のフロチャートを示す図である。
【図２０ａ】本発明の実施例に係わるＸｃインターフェース確立のフローチャート図である。
【図２０ｂ】本発明の実施例に係わるＸｃインターフェースリリースのフローチャート図である。
【図２０ｃ】本発明の実施例に係わるＸｃインターフェース配置のフローチャート図である。
【図２１ａ】本発明の実施例に係わるＸｇインターフェース確立のフローチャート図一である。
【図２１ｂ】本発明の実施例に係わるＸｇインターフェース確立のフローチャート図二である。
【図２１ｃ】本発明の実施例に係わるＸｇインターフェースリリースのフローチャート図一である。
【図２１ｄ】本発明の実施例に係わるＸｇインターフェースリリースのフローチャート図二である。
【図２１ｅ】本発明の実施例に係わるデータ伝達のフローチャート図である。
【図２２】本発明の実施例に係わるＵＥが新しいセルのみとデータ接続処理を有するフローチャート図である。
【図２３】本発明の実施例に係わるＵＥが新しいセルと既存セルとのいずれもデータ接続処理を有するフローチャート図である。
【図２４】本発明の実施例に係わるＵＥが２つの新しいセルのいずれともデータ接続処理を有するフローチャート図である。
【図２５】本発明の実施例に係わるセルシステムに基づいたネットワークトポロジーを示す図である。
【図２６】本発明の好適な実施例に係わるＵｕインターフェースのプロトコルスタック図である。
【図２７】本発明の好適な実施例に係わるＸｘインターフェースのプロトコルスタック図である。
【図２８】本発明の好適な実施例に係わるＳ２インターフェース（ＧＷなし）のプロトコルスタック図である。
【図２９】本発明の好適な実施例に係わるＳ２インターフェース（ＧＷあり）のプロトコルスタック図である。
【図３０】本発明の実施例に係わる無線ベアラの確立と削除のフローチャート図である。
【図３１】本発明の実施例に係わるＧＴＰ−Ｕチャネルの確立と削除のフローチャート図である。
【図３２】本発明の実施例に係わるＧＴＰ−Ｕチャネルの削除のフローチャート図である。
【図３３】本発明の実施例に係わるＧＴＰ−Ｕチャネルの交換のフローチャート図である。
【発明を実施するための形態】
【００３４】
以下、図面を参照し実施例を結合しながら本発明を詳しく説明する。なお、衝突がない場合、本出願における実施例および実施例における特徴は互いに組合せることができる。
【００３５】
本実施例において、ネットワークアクセスシステムを提供する。図３は本発明の実施例に係わるネットワークアクセスシステムの構造ブロック図一であり、図３に示すように、当該構造は、制御面ノード３２とユーザ面ノード３３とを有し、以下当該構造について説明する。
【００３６】
制御面ノード３２は、無線インターフェースにより端末ＵＥに接続し、Ｓ１インターフェースにより移動管理エンティティＭＭＥに接続して、制御面データを処理するように配置されている。
【００３７】
ユーザ面ノード３４は、無線インターフェースによりＵＥに接続し、ＳｓインターフェースによりサービスゲートウェイＳＧＷに接続して、ユーザ面データを処理するように配置されている。
【００３８】
上記システムアーキテクチャにおいて、ＵＥのコアネットワークにアクセスする際の制御面とユーザ面とを分離させ、既存技術において、新しいセル間を移動する、または新しいセルと既存セルとの間を移動することにより、必ず頻繁なハンドオーバを引き起こし、基地局間でユーザ情報が頻繁に伝送されることになり、コアネットワークに対して大きなシグナリングインパクトになることに対して、上記制御面データを処理する制御面ノードとユーザ面データを処理するユーザ面ノードとを分離させるという技術的処理により、ＵＥが異なるセル間でハンドオーバされる場合、制御面データに対する処理は、頻繁な繰り返した動作を要せず、ノード間の情報交互を減少させるとともに、コアネットワークに対するシグナリングインパクトをある程度低減することができる。
【００３９】
図４は本発明の実施例に係わるネットワークアクセスシステムの好適な構造ブロック図一である。図４に示すように、当該構造には、図３に示すすべての構造を含む他に、さらに制御面ノードとユーザ面ノードとの間に接続し、制御面ノードがユーザ面ノードとＵＥにより制御面データを転送するＸｕインターフェースを含む。
【００４０】
図５は本発明の実施例に係わるネットワークアクセスシステムの好適な構造ブロック図一である。図５に示すように、当該構造は図３に示すすべての構造を含む他に、さらにＸｇインターフェースによりユーザ面ノードに接続し、Ｓ３インターフェースによりＳＧＷに接続して、ユーザ面データを転送するユーザ面ゲートウェイ５２を含む。
【００４１】
当該ユーザ面ゲートウェイは、さらに、制御面ノードとユーザ面ゲートウェイとの間のＸｃインターフェースのシグナリング接続を確立することと、ユーザ面ノードとユーザ面ゲートウェイとの間のＸｇインターフェースのシグナリング接続を確立することと、ユーザ面ノードとユーザ面ゲートウェイとの間のＧＴＰ−Ｕチャネルの確立、削除、改正操作を実行することと、ユーザ面ゲートウェイとＳＧＷとの間のＧＴＰ−Ｕチャネルの確立、削除、改正を制御することとのいずれかの処理を実行するように配置されている。
【００４２】
図６は本発明の実施例に係わるネットワークアクセスシステムの好適な構造ブロック図一である。図６に示すように、当該構造は図３に示すすべての構造を含む他に、さらに、制御面ノードとユーザ面ゲートウェイとの間に接続し、制御面ノードがユーザ面ゲートウェイとＳＧＷとの間のチャネルの確立、削除、改正オペレーションに対して制御する、及び／または制御面ノードがユーザ面ゲートウェイとユーザ面ノードとの間のチャネルの確立、削除、改正オペレーションに対して制御するように設置されるＸｃインターフェースを含む。
【００４３】
制御面ノードは、さらに、制御面ノードとユーザ面ノードとの間のＸｕインターフェースのシグナリング接続を確立することと、制御面ノードとユーザ面ゲートウェイとの間のＸｃインターフェースのシグナリング接続を確立することと、ユーザ面ノードとユーザ面ゲートウェイとの間のＧＰＲＳトンネルプロトコルＧＴＰ−Ｕチャネルの確立、削除、改正を制御すること、ユーザ面ゲートウェイとＳＧＷとの間のＧＴＰ−Ｕチャネルの確立、削除および改正を制御すること、ユーザ面ゲートウェイとＳＧＷとの間のＧＴＰ−Ｕチャネルの確立、削除、改正を制御すること、ユーザ面ノードとＵＥとの間の無線インターフェースの確立、削除、改正を制御することとの少なくともいずれかの処理を実行する。
【００４４】
当該ユーザ面ノードは、制御面ノードとユーザ面ノードとの間のＸｕインターフェースのシグナリング接続を確立することと、ユーザ面ノードとユーザ面ゲートウェイとの間のＸｇインターフェースのシグナリング接続を確立することと、ユーザ面ゲートウェイが存在する場合、ユーザ面ノードとユーザ面ゲートウェイとの間のＧＴＰ−Ｕチェネルの確立、削除、改正オペレーションを実行することと、ユーザ面ゲートウェイが存在しない場合、ユーザ面ノードとＳＧＷとの間のＧＴＰ−Ｕチャネルの確立、削除、改正オペレーションを実行することと、制御面ノードとＵＥとの間で伝送される制御面データを転送することとの少なくともいずれかを実行する。
【００４５】
本実施例において、ネットワークアクセス方法を提供する。図７は本発明の実施例に係わるネットワークアクセス方法のフローチャート図である。図７に示すように、当該フロチャートは以下のステップを含む。
【００４６】
ステップＳ７０２について、制御面ノードが端末ＵＥアクセスネットワークの制御面データを処理するために、制御面リンクを確立して、その制御面リンクには、制御面ノードが無線インターフェースにより前記ＵＥに接続し、Ｓ１インターフェースにより移動管理エンティティＭＭＥに接続する。
ステップＳ７０４について、１つまたは複数のユーザ面ノードを確立するにより、ＵＥアクセスネットワークのユーザ面データの１つまたは複数のユーザ面リンクを処理し、そのユーザ面リンクには、ユーザノードが無線インターフェースによりＵＥに接続し、ＳｓインターフェースによりサービスゲートウェイＳＧＷに接続する。
ステップＳ７０６について、上記制御面リンクにより制御面データを処理する。
ステップＳ７０８について、前記ユーザ面リンクにより前記ユーザ面データを処理する。
【００４７】
上記ステップにより、ユーザ面と制御面とを分離させ、それから対応する制御面リンクとユーザ面リンクを確立し、確立した制御面リンクにより制御面データを処理し、確立されたユーザ面リンクによりユーザ面データを処理して、上記制御面データを処理する制御面ノードとユーザ面データを処理するユーザ面ノードとを分離させるという技術を採用することで、ＵＥが異なるセルでハンドオーバするとき、制御面データの処理は、頻繁な繰り返したオペレーションを要せず、ノード間の情報交互を減少させるとともに、コアネットワークに対するシグナリングインパクトをある程度、低減することができる。
【００４８】
端末ＵＥアクセスネットワークの制御面データの制御面リンクを処理するために、制御面ノードを確立することは、ＭＭＥに接続する制御面ノードとＵＥに接続する１つまたは複数のユーザ面ノードとの間で、前記制御面データを転送する１つまたは複数のＸｕインターフェースを確立することを含むことが好ましい。
【００４９】
ＳＧＷと、ＵＥに接続する１つまたは複数のユーザ面ノードとの間に、ユーザ面データを転送する１つまたは複数のユーザ面ゲートウェイが存在する場合、１つまたは複数のユーザ面ノードがＵＥアクセスネットワークのユーザ面データを処理する１本または複数本のユーザ面リンクを確立することは、制御面ノードと１つまたは複数のユーザ面ゲートウェイとの間で、制御面ノードがユーザ面ゲートウェイによりユーザ面データを転送することを制御する１つまたは複数のＸｃインターフェースを確立する、および／またはユーザ面ノードと１つまたは複数のユーザ面ゲートウェイとの間でユーザ面データを転送するための１つまたは複数のＸｇインターフェースを確立することを含む。
【００５０】
制御面リンクによって制御面データを処理することは、ＵＥがランダムにアクセスを実行している問題を報告することと、無線リンク制御ＲＬＣの達する回数閾値を報告することとの少なくともいずれかを含むユーザ面ノードから前記制御面ノードまでの処理と、データ伝達、パラメータ配置、パラメータ再配置、メディアアクセス制御層ＭＡＣリセット、無線リンク制御ＲＬＣとパケットデータアグリゲーションレイヤＰＤＣＰエンティティとの間のリンク確立、ＲＬＣとＰＤＣＰエンティティ間のリンクリリース、ＲＬＣとＰＤＣＰエンティティ間の再確立、一致性保護と完全性アルゴリズム検証、底層同期ステータス報告、セル脱活性化状態報告の少なくともいずれかを含む前記制御面ノードから前記ユーザ面ノードまでの処理とを含む。
【００５１】
本実施例において、さらにネットワークアクセスシステムを提供する。図８は本発明の実施例に係わるネットワークアクセスシステムの構造ブロック図二である。図８に示すように、当該システムは、第１の確立モジュール８２、第２の確立モジュール８４、第１の処理モジュール８６、第２の処理モジュール８８を含む。以下、当該システムについて説明する。
【００５２】
第１の確立モジュール８２は、制御面ノードが端末ＵＥアクセスネットワークの制御面データを処理するように、制御面リンクを確立して、制御面リンクには、制御面ノードが無線インターフェースにより端末ＵＥに接続し、Ｓ１インターフェースにより移動管理エンティティＭＭＥに接続する。第２の確立モジュール８４は、１つまたは複数のユーザ面ノードがＵＥアクセスネットワークのユーザ面データを処理するために、１本または複数本のユーザ面リンクを確立して、ユーザ面リンクには、ユーザノードが無線インターフェースによりＵＥに接続し、Ｓ１インターフェースによりサービスゲートウェイＳＧＷに接続する。第１の処理モジュール８６は、第１の確立モジュール８２に接続し、制御面リンクにより前記制御面データを処理する。第２の処理モジュール８８は、上記第２の確立モジュール８４に接続し、ユーザ面リンクによりユーザ面データを処理する。
【００５３】
図９は本発明の実施例に係わるネットワークアクセスシステムの第１の確立モジュール８２の好適な構造ブロック図二である。図９に示すように、当該第１の確立モジュール８２は、ＭＭＥに接続する制御面ノードとＵＥに接続する１つまたは複数のユーザ面ノードとの間で、制御面データを転送する１つまたは複数のＸｕインターフェースを確立する第１の確立ユニット９２を含む。
【００５４】
図１０は、本発明の実施例に係わるネットワークアクセスシステムの第２の確立モジュール８４の好適な構造ブロック図二である。図１０に示すように、当該第２の確立モジュール８２は、第２の確立ユニット１０２および／または第３の確立ユニット１０４を含み、以下、当該好適なシステム構造について説明する。第２の確立ユニット１０２は、制御面ノードと１つまたは複数のユーザ面ゲートウェイとの間で、制御面ノードがユーザ面ゲートウェイによりユーザ面データを転送することを制御する１つまたは複数のＸｃインターフェースを確立し、および／または第３の確立ユニット１０４は、ユーザ面ノードと１つまたは複数のユーザ面ゲートウェイとの間でユーザ面データを転送するための１つまたは複数のＸｇインターフェースを確立する。
【００５５】
第１の処理モジュールは、ＵＥがランダムアクセスを実行している問題を報告することと、無線リンク制御ＲＬＣの達する回数閾値を報告することとの少なくともいずれかを含むユーザ面ノードから制御面ノードまでの処理と、データ伝達、パラメータ配置、パラメータ再配置、メディアアクセス制御層ＭＡＣリセット、無線リンク制御ＲＬＣとパケットデータアグリゲーションレイヤＰＤＣＰエンティティとの間のリンク確立、ＲＬＣとＰＤＣＰエンティティ間のリンクリリース、ＲＬＣと前記ＰＤＣＰエンティティ間の再確立、一致性保護と完全性アルゴリズム検証、底層同期ステータス報告、セル脱活性化状態報告の少なくともいずれかを含む制御面ノードからユーザ面ノードまでの処理とを実行することが好ましい。
【００５６】
本実施例において、さらにネットワークアクセスシステムを提供する。図１１は、本発明の実施例に係わるネットワークアクセスシステムの構造ブロック図三である。図１１に示すように、当該システムは、マクロセル１１２と１つまたは複数のマイクロセル１１４を含み、以下当該システムについて説明する。
【００５７】
マクロセル１１２は、無線インターフェースにより端末ＵＥに接続し、Ｓ１インターフェースによりコアネットワークに接続し、Ｘｘインターフェースにより１つまたは複数のマイクロセルに接続し、ＵＥに対して１つまたは複数のマイクロセルによりコアネットワークにアクセスするＸｘインターフェースと無線インターフェースの制御面データを処理する。１つまたは複数のマイクロセル１１４は、無線インターフェースにより端末ＵＥに接続し、Ｓ２インターフェースによりコアネットワークに接続し、Ｘｘインターフェースによりマクロセルに接続して、ＵＥに対して１つまたは複数のマイクロセルによりコアネットワークにアクセスするＸｘインターフェースとＳ２インターフェースの制御面データとユーザ面データを処理する。
【００５８】
図１２は本発明の実施例に係わるネットワークアクセスシステムの構造ブロック図三である。図１２に示すように、当該システムは図１１に示すすべての構造を含む他に、さらに、Ｓ２インターフェースによりコアネットワークとマイクロセルに接続し、マイクロセルとコアネットワーク間のユーザ面ＧＰＲＳトンネルプロトコルＧＴＰ−Ｕチャネルを制御するマイクロセルゲートウェイ１２２を含む。
【００５９】
本実施例において、さらにネットワークアクセス方法を提供する。図１３は、本発明実施例に係わるネットワークアクセス方法のフローチャート図である。図１３に示すように、当該フローチャートは以下のようなステップを含む。
【００６０】
ステップＳ１３０２について、１つまたは複数のマイクロセルによりＵＥがコアネットワークにアクセスする制御面データを処理し、制御面リンクを確立して、ここで、制御面リンクには、１つまたは複数のマクロセルが無線インターフェースにより端末ＵＥに接続し、Ｘｘインターフェースにより１つまたは複数のマイクロセルに接続して、Ｓ２インターフェースを介しコアネットワークに接続する。
ステップＳ１３０４について、１つまたは複数のマイクロセルによりＵＥがコアネットワークにアクセスするユーザ面データを処理し、ユーザリンクを確立して、ここで、ユーザリンクには、１つまたは複数のマイクロセルが無線インターフェースにより端末ＵＥに接続し、Ｓ２インターフェースによりコアネットワークに接続し、Ｘｘインターフェースによりマクロセルに接続する。
ステップＳ１３０６について、制御面リンクにより制御面データを処理する。
ステップＳ１３０８について、ユーザ面リンクによりユーザ面データを処理する。
【００６１】
１つまたは複数のマイクロセルによりＵＥがコアネットワークにアクセスするユーザ面データを処理するマイクロセルとコアネットワーク間Ｓ２インターフェースユーザ面リンクを確立することは、コアネットワークとマイクロセルゲートウェイとの間のユーザ面ＧＰＲＳトンネルプロトコルＧＴＰ−Ｕチャネルを確立することと、マイクロセルゲートウェイと１つまたは複数のマイクロセルとの間のユーザ面ＧＰＲＳトンネルプロトコルＧＴＰ−Ｕチャネルを確立することとを含むことが好ましい。
【００６２】
制御面リンクにより制御面データを処理することは、マクロセルと１つまたは複数のマイクロセルとの間のＸｘインターフェースのシグナリング接続を確立することと、１つまたは複数のマイクロセルとコアネットワークとの間のユーザ面ＧＰＲＳトンネルプロトコルＧＴＰ−Ｕチャネルの確立、削除、更新を制御することと、ＵＥと１つまたは複数のマイクロセル間の無線ベアラを確立することと、Ｘｘインターフェースによりマクロセルと１つまたは複数のマイクロセルとの間のＩＰパケットのフォワードを処理することとの少なくともいずれかを含むことが好ましい。
【００６３】
ユーザ面リンクによりユーザ面データを処理することは、マイクロセルゲートウェイとコアネットワークとの間のユーザ面ＧＰＲＳトンネルプロトコルＧＴＰ−Ｕチャネルを保持することと、保持するＧＴＰ−Ｕチャネルによりユーザ面データを処理することとを含むことが好ましい。
【００６４】
本実施例において、さらにネットワークアクセスシステムを提供する。図１４は、本発明の実施例に係わるネットワークアクセスシステムの構造ブロック図四である。図１４に示すように、当該システムは、第３の確立モジュール１４２、第４の確立モジュール１４４、第３の処理モジュール１４６、および第４の処理モジュール１４８を含み、以下当該構造について説明する。
【００６５】
第３の確立モジュール１４２は、ＵＥに対して、Ｓ２インターフェースによりコアネットワークに接続する１つまたは複数のマイクロセルによりコアネットワークにアクセスする制御面データを処理し、制御面リンクを確立して、ここで、制御面リンクには、マクロセルが無線インターフェースにより端末ＵＥに接続し、Ｓ１インターフェースにより前記コアネットワークに接続し、Ｘｘインターフェースにより前記１つまたは複数のマイクロセルに接続する。第４の確立モジュール１４４は、ＵＥに対して１つまたは複数のマイクロセルによりコアネットワークにアクセスするユーザ面データを処理し、ユーザ面リンクを確立して、ここで、ユーザ面リンクには、１つまたは複数のマイクロセルが無線インターフェースにより端末ＵＥに接続し、Ｓ２インターフェースによりコアネットワークに接続し、Ｘｘインターフェースにより前記マクロセルに接続する。第３の処理モジュール１４６は、上記第３の確立モジュール１４２に接続し、制御面リンクにより制御面データを処理する。第４の処理モジュール１４８は、上記第４の確立モジュール１４４に接続し、ユーザ面リンクによりユーザ面データを処理する。
【００６６】
図１５は本発明の実施例に係わるネットワークアクセスシステムの第４の確立モジュール１４４の好適な構造ブロック図である。図１５に示すように、第４の確立モジュール１４４は、第５の確立ユニット１５２と第６の確立ユニット１５４を含み、以下当該第４の確立モジュール１４４について説明する。
【００６７】
第５の確立ユニット１５２は、コアネットワークとマイクロセルゲートウェイとの間のユーザ面ＧＰＲＳトンネルプロトコルＧＴＰ−Ｕチャネルを確立する。第６の確立ユニット１５４と、マイクロセルゲートウェイと１つまたは複数のマイクロセルとの間のユーザ面ＧＰＲＳトンネルプロトコルＧＴＰ−Ｕチャネルを確立する。
【００６８】
第３の処理モジュールは、マクロセルと１つまたは複数のマイクロセルとの間のＸｘ  インターフェースのシグナリング接続を確立することと、１つまたは複数のマイクロセルとコアネットワークとの間のユーザ面ＧＰＲＳトンネルプロトコルＧＴＰ−Ｕチャネルの確立、削除、更新を制御することと、ＵＥと１つまたは複数のマイクロセルとの間の無線ベアラを確立することと、Ｘｘインターフェースによりマクロセルと１つまたは複数のマイクロセルとの間のＩＰパケットのフォワードを処理することとの少なくともいずれかの処理を実行することが好ましい。
【００６９】
図１６は本発明の実施例に係わるネットワークアクセスシステムにおける第４の処理モジュール１４８の好適な構造ブロック図である。図１６に示すように、当該第４の処理モジュール１４８は、保持ユニット１６２と処理ユニット１６４とを含み、以下、当該第４の処理モジュール１４８について説明する。
【００７０】
保持ユニット１６２は、マイクロセルゲートウェイとコアネットワークとの間のユーザ面ＧＰＲＳトンネルプロトコルＧＴＰ−Ｕチャネルを保持する。処理ユニット１６４は、上記保持ユニット１６２に接続し、保持されるＧＴＰ−Ｕチャネルによりユーザ面データを処理する。
【００７１】
基地間の頻繁なユーザ情報（例えばＵＥ関係の制御面のコンテキスト）の伝達を減少するために、こういう情報を１つの基地局またはセル内にすることができ、当該ＵＥがこの基地局またはセル近くを移動する場合、これらのユーザ情報を伝達することを要しないため、ユーザ面と制御面とを分離させなければならない。少なくとも以下のような三種類の新しいロジックノードがある。
【００７２】
ＣＰ−ｅＮＢ（即ち上記制御面ノード）：制御面データを処理するノードで、ＬＴＥシステムの既存技術における基地局の備える制御面機能を有する他に、ＣＰ−ｅＮＢは、さらにＵＰ−ｅＮＢとの間でＸｕインターフェースのシグナリング接続をサポートしなければならなく、且つＵＰ−ｅＮＢとＵＰ−ＧＷ、またはＵＰ−ｅＮＢとＳＧＷとの間でＧＴＰ−Ｕチャネルの確立、削除、および改正の管理を協力する可能なものである。ＣＰ−ｅＮＢとＭＭＥとの間の制御面とユーザ面プロトコルスタックは既存技術のＳ１インターフェースのプロトコルスタックと同様に、ＣＰーｅＮＢとＵＰ−ｅＮＢのユーザ面プロトコルスタックがＸ２インターフェースのユーザ面プロトコルスタックと同様で、制御面プロトコルスタックは図１８に示す通り、Ｘｇ−ＡＰプロトコルレイヤの機能を実現し、主に底層ＧＴＰ−Ｕのチャネル確立を管理するものである。また、ＣＰ−ｅＮＢと空きポートとの間は、さらにＲＲＣプロトコルレイヤの機能を実現することになり、即ち、ＵＰ−ｅＮＢとＵＥとの間のユーザチャネルの確立を協力することになる。その中、Ｘｇ−ＡＰの他に、他のプロトコルレイヤの機能は既存技術の関連プロトコルレイヤの機能と同様である。
【００７３】
ＵＰ−ｅＮＢ（即ち上記ユーザ面ノード）：ユーザ面データを処理するノードで、ＳＧＷとの間にはＵＰ−ＧＷを有してもよいし、なくてもよい。ＬＴＥシステムの既存技術における基地局の備えるユーザ面機能をサポートする他に、ＵＰ−ＧＷにはＵＰ−ｅＮＢが存在する場合、さらにＵＰ−ＧＷとの間でＧＴＰ−Ｕチャネルの確立、削除、改正の管理をサポートしなければならなく、ＵＰ−ＧＷが存在しない場合、ＳＧＷとの間でＧＴＰ−Ｕチャネルの確立、削除および改正の管理のみをサポートし、また、ＣＰ−ｅＮＢとＵＥと間での制御面データの転送機能もサポートしなければならない。ＵＰ−ｅＮＢとＵＥとのユーザ面プロトコルスタックは既存技術のＵＵポートユーザ面プロトコルスタックと同様で、ＵＰ−ｅＮＢとＵＥとの間には、制御面プロトコルスタックがない。ＵＰーｅＮＢとＵＰ−ＧＷとの間のユーザ面プロトコルスタックがＸ２インターフェースのユーザ面プロトコルスタックと同様で、制御面プロトコルスタックは図１８に示すように、Ｘｕ−ＡＰプロトコルレイヤ機能を実現し主に底層ＧＴＰ−Ｕのチャネル確立の管理をすることになり、Ｘｕ−ＡＰプロトコルレイヤは存在しなくてもよく、この場合、関連機能はＣＰ−ｅＮＢにより、ＵＰ−ＧＷとＵＰ−ｅＮＢとそれぞれ交互して実現される。ＵＰ−ｅＮＢとＳＧＷとの間にはＵＰ−ＧＷがない場合、ＵＰ−ｅＮＢとＳＧＷとの間のユーザ面プロトコルスタックは既存技術のＳ１−Ｕプロトコルスタックであり、このインターフェースをとりあえずＳｓで表し、制御面プロトコルスタックは即ち既存技術におけるＳ１−ＭＭＥプロトコルスタックである。ＵＰーｅＮＢがＵＥのアップロードしたユーザ面データを処理して次のネットエレメントに送信し、ＵＰーＧＷまたはＳＧＷであってもよく、ＳＧＷまたはＵＰ−ＧＷにより伝達してきたユーザ面データを処理してＵＥに送信する。
【００７４】
ＵＰ−ＧＷ：ユーザ面データを転送し、ＳＧＷとの間でＧＴＰ−Ｕチャネルの確立、削除および改正の管理をサポートし、ＵＰーｅＮＢとの間でＧＴＰ−Ｕチャネルの確立、削除および改正の管理をサポートする。関連プロトコルスタックは図１８を参照、ＵＰ−ｅＮＢとＵＰ−ＧＷとの間のプロトコルスタックはＵＰーｅＮＢネットエレメントの関連説明を参照すること。ＵＰーＧＷとＣＰ−ｅＮＢ間は既存技術におけるＳ１−ＭＭＥとＳ１−Ｕプロトコルスタックで、とりあえずＳ３インターフェースという。また、ＵＰーＧＷとＣＰ−ｅＮＢとの間には、インターフェースを有してもよく、有する場合、制御面プロトコルのみがある。図１８に示すように、インターフェースが存在しない場合、ＣＰ−ｅＮＢはＵＰ−ｅＮＢによりＵＰーＧＷを管理し制御することができる。ＵＰ−ＧＷはＵＰ−ｅＮＢによりアップロードするユーザ面データを次のネットエレメントに転送し、ＳＧＷであってもよく、ＳＧＷから伝送してきたユーザ面データをＵＰーｅＮＢに転送する。
【００７５】
ＳＧＷは既存技術のノードで、ＵＰ−ＧＷとの間でＧＴＰ−Ｕチャネルの確立、削除および改正をさらにサポートしなければならない。
【００７６】
これらのロジックノードは、独立した新しい物理ノードとしてもよいし、または既存技術の基地局またはセルでロジック機能として実現してもよい。ＵＥが接続する状態になってから、１つのＵＥが１つのＣＰ−ｅＮＢ、１つのＵＰーＧＷおよび１つまたは複数のＵＰーｅＮＢによりサービスされる。その中、ＣＰ−ｅＮＢは既存のセルであり、ＵＰーＧＷは既存のセルでＣＰ−ｅＮＢと合弁し、ＵＰーｅＮＢは既存のセルで、この時ＣＰ−ｅＮＢと合弁でき、ＵＰーｅＮＢは新しいセルであり、この時ＵＰーｅＮＢは独立したノードとして存在する。ＵＰーｅＮＢがＣＰ−ｅＮＢと合弁するとき、即ち既存技術のｅＮＢである。
【００７７】
ＵＥが新しいセルのみとデータ接続がある場合と、ＵＥが新しいセルと既存技術とのいずれもデータ接続がある場合との二種類の状況がある。図１７ａは本発明の実施例に係わるＵＥが新しいセルのみとデータ接続を有するネットワークアーキテクチャ図である。図１７ｂは本発明の実施例に係わるＵＥが新しいセルと既存セルとのいずれもデータ接続を有するネットワークアーキテクチャ図である。図１８は図１７ａ、図１７ｂに対応するシステムプロトコルアーキテクチャである。
【００７８】
図中で、ＭＭＥとＣＰ−ｅＮＢ間は既存技術のＳ１−ＭＭＥインターフェースで、ＳＧＷとＵＰ−ＧＷ間は既存技術のＳ１−Ｕインターフェースで、とりあえずＳ３インターフェースといい、ＵＰ−ｅＮＢとＣＰ−ｅＮＢ間は新しいインターフェースであり、とりあえずＸｕインターフェースといい、ＵＰーｅＮＢとＵＰーＧＷ間は新しいインターフェースであり、とりあえずＸｇインターフェースといい、ＣＰ−ｅＮＢとＵＰ−ＧＷ間は新しいインターフェースであり、とりあえずＸｃインターフェースである。ＵＥとＵＰーｅＮＢ間は既存技術のＵＵインターフェースにおけるユーザ面インターフェースである。なお、ＣＰ−ｅＮＢとＵＰ−ｅＮＢ、またＵＰ−ＧＷはただロジックネットエレメントに過ぎず、実際には、既存のセル、または新しいセルに帰属することができる、即ちＣＰ−ｅＮＢとＵＰ−ＧＷは合弁してもよく、分離してもよい。同じように、ＣＰ−ｅＮＢとＵＰ−ｅＮＢも合弁（即ち既存のｅＮＢ）または分離してもよく、ＵＰ−ｅＮＢとＵＰ−ＧＷも合弁または分離してもよい。
【００７９】
図１７ａ、図１７ｂおよび図１８に示すように、制御面データストリームの上がり伝送プロセスは、以下のとおりである。端末がＵＵポートによりＵＰーｅＮＢに送信し、ＵＰ−ｅＮＢがＸｕインターフェースのみによりＣＰ−ｅＮＢに転送し、ＣＰ−ｅＮＢが制御面データを処理し、さらにデータをＭＭＥに送信することになる場合、プロセスが終了する。制御面データストリームの下り伝送プロセスは以下のとおりである。ＭＭＥがデータをＣＰ−ｅＮＢに送信し、ＣＰーｅＮＢが受けると処理する。必要があると、ＸｕによりデータがＵＰ−ｅＮＢに転送して、ＵＰ−ｅＮＢがＵＥに転送することのみをして、プロセスが終了する。ユーザ面データストリームの上がり伝送プロセスは以下のとおりである。端末がＵＵポートによりＵＰーｅＮＢに送信し、ＵＰーｅＮＢはユーザ面データを処理し、ＸｇによりＵＰーＧＷに送信することになる場合、ＵＰーＧＷが転送のみをしてデータをＳＧＷに送信し、プロセスが終了する、またはＵＰーｅＮＢが直接ＳＧＷに送信し、プロセスが終了する。ユーザ面データストリームの下り送信プロセスは以下のとおりである。ＳＧＷがデータをＵＰーＧＷに送信し、ＵＰーＧＷが受信してから転送のみをして、ＸｇインターフェースによりデータをＵＰーｅＮＢに送信する、またはＳＧＷが直接データをＵＰーｅＮＢに送信し、ＵＰーｅＮＢがユーザ面データを処理し、必要とする場合、さらにＵＥに送信して、プロセスが終了する。
【００８０】
Ｘｕインターフェース：ＣＰ−ｅＮＢがＵＰ−ｅＮＢに対する管理制御として、少なくとも以下のような情報を含む。ＵＰ−ｅＮＢからＣＰーｅＮＢへ：ＵＥがランダムアクセスを実行する中の問題報告とＲＬＣの達する最大回数報告、データ伝達（ＳＣＨデータ、ＰＣＢデータ、ＢＣＨデータ、ＭＣＨデータ、ＵＣＨデータ）などがある。ＣＰ−ｅＮＢからＵＰ−ｅＮＢへ：データ伝達（ＳＣＨデータ、ＤＣＨデータ）、パラメータ配置と再配置、ＭＡＣリセット、ＲＬＣとＰＤＣＰエンティティ確立リリース再確立、一致性保護と完全性アルゴリズム検証、底層同期ステータス報告、セル脱活性化状態報告などがある。
【００８１】
Ｘｃインターフェース：ＣＰ−ｅＮＢがＵＰ−ＧＷに対する管理制御、およびＵＰ−ＧＷがＣＰ−ｅＮＢに対するフィードバックまたは応答とする。
【００８２】
Ｘｇインターフェース：ＵＰ−ＧＷは転送のみをするため、当該インターフェースはただデータストリームの転送として用いられる。
【００８３】
実施例一、本実施例はＸｕインターフェースの情報交互プロセスを説明する。
メッセージ１：Ｘｕ確立であり、Ｘｕインターフェースの確立に用いられ、図１９ａは本発明の実施例に係わるＸｕインターフェースの確立のフローチャート図である。図１９ａに示すように当該プロセスは以下のようなステップを含む。
【００８４】
ステップＳ１９ａ０２：ＣＰ−ｅＮＢが、少なくともＣＰ−ｅＮＢのアイデンティティ、ＣＰ−ｅＮＢの名称、ＵＰ−ＧＷのアイデンティティ、ＵＰ−ＧＷのＩＰアドレスなどの情報を含むＸｕ確立要求をＵＰ−ｅＮＢに送信する。
ステップＳ１９ａ０４：ＵＰ−ｅＮＢは確立要求を受信し、関連リソースを保留し、関連配置をして、確立結果、失敗原因、ＵＰ−ｅＮＢのアイデンティティ、ＵＰ−ｅＮＢの名称という情報の少なくとも１つを含むＸｕ確立応答をＣＰ−ｅＮＢに応答する。
【００８５】
メッセージ２：Ｘｕリリースであり、Ｘｕインターフェースのリリースに用いられ、図１９ｂは本発明の実施例に係わるＸｕインターフェースのリリースのフローチャート図である。図１９ｂに示すように、当該プロセスは以下のようなステップを含む。
【００８６】
ステップＳ１９ｂ０２、ＣＰ−ｅＮＢが、ＣＰ−ｅＮＢのアイデンティティ、ＣＰ−ｅＮＢの名称の少なくとも１つを含むＸｕリリース要求をＵＰ−ｅＮＢに送信する。
ステップＳ１９ｂ０４、ＵＰ−ｅＮＢはリリース要求を受信し、関連リソースをリリースし、ＵＰ−ｅＮＢのアイデンティティ、ＵＰ−ｅＮＢの名称の少なくとも１つを含むＸｕリリース応答をＣＰ−ｅＮＢにに応答する。
【００８７】
メッセージ３：ランダムアクセスを実行する状況／ＲＬＣ送信の達する最大回数報告、ユーザがランダムアクセスを実行するプロセスの状況とＲＬＣ送信の達する最大回数を報告することに用いる。図１９ｃは本発明の実施例に係わるランダムアクセスの実行プロセス／ＲＬＣ送信が最大回数に達することを報告するフローチャートを示す図である。図１９ｃに示すように当該プロセスは以下のようなステップを含む。
【００８８】
ステップＳ１９ｃ０２、ＵＥがＵＰ−ｅＮＢでランダムアクセスを実行し、ＵＰ−ｅＮＢが、成功や失敗などランダムアクセスの状況、ＵＥのアイデンティティ、失敗原因などの情報を少なくとも１つ含む状況をＣＰ−ｅＮＢに報告する（上記情報は複数のランダムアクセスの情報であってもよい）。
またはＵＥのＲＬＣ層送信データが最大回数に達し、ＵＰ−ｅＮＢが失敗原因を含む状況をＣＰ−ｅＮＢに報告する。
【００８９】
メッセージ４：データ伝達であり、ＵＰ−ｅＮＢとＣＰ−ｅＮＢとの間のデータ伝達に用いる。図１９ｄは本発明の実施例に係わるデータ伝送のフロチャートを示す図である。図１９ｄに示すように、当該プロセスは以下のようなステップを含む。
【００９０】
ステップＳ１９ｄ０２、ＵＰ−ｅＮＢがＵＥから送信してきた、少なくともＳＣＨデータ、ＰＣＨデータ、ＢＣＨデータ、ＭＣＨデータ、ＵＣＨデータの１つを含む制御面関連データを受信し、ＣＰ−ｅＮＢに伝達する。
またはステップＳ１９ｄ０２’、ＣＰ−ｅＮＢがＭＭＥから送信した、少なくともＳＣＨデータ、ＤＣＨデータの１つを含むユーザ面関連データを受信し、ＵＰ−ｅＮＢに伝達する。
【００９１】
メッセージ５：パラメータ配置と再配置であり、ＵＰ−ｅＮＢのパラメータ配置と再配置に用い、ＣＰ−ｅＮＢにより管理され、実はＵＥコンテキストの確立である。図１９ｅは本発明の実施例に係わるパラメータ配置と再配置のフロチャートを示す図である。図１９ｅに示すように、当該プロセスは以下のようなステップを含む。
【００９２】
ステップＳ１９ｅ０２、ＣＰ−ｅＮＢがＵＰ−ｅＮＢによりＵＥに対して配置または再配置をして、ＵＥのＰＨＹ層配置情報、ＭＡＣ層配置情報、ＲＬＣ層配置情報、ＰＤＣＰ層配置情報、ＲＲＣ配置情報の少なくとも１つを含む配置すべき情報をＵＰ−ｅＮＢに送信する。
【００９３】
メッセージ６：ＭＡＣリセットであり、ＵＰ−ｅＮＢにおけるＭＡＣ層のリセット、ＲＬＣエンティティ確立／リリース／再確立、ＰＤＣＰエンティティの確立／リリース／再確立に用い、図１９ｆは本発明の実施例に係わるＭＡＣリセットのフロチャートを示す図である。図１９ｆに示すように、当該プロセスは以下のようなステップを含む。
【００９４】
ステップＳ１９ｆ０２、ＣＰ−ｅＮＢがＵＰ−ｅＮＢによりＵＥのＭＡＣに対してリセットを実行し、ＭＡＣリセット情報をＵＰ−ｅＮＢに送信する。
またはＣＰ−ｅＮＢがＵＰ−ｅＮＢによりＵＥのＲＬＣエンティティに対して確立／リリース／再確立を実行し、ＲＬＣエンティティ確立／リリース／再確立情報をＵＰ−ｅＮＢに送信する。
またはＣＰ−ｅＮＢがＵＰ−ｅＮＢによりＵＥのＰＤＣＰエンティティに対して確立／リリース／再確立を実行し、ＰＤＣＰエンティティ確立／リリース／再確立情報をＵＰ−ｅＮＢに送信する。
【００９５】
メッセージ７：一致性保護および／または完全性アルゴリズム検証要求であり、一致性保護および／または完全性アルゴリズムパラメータの実行可能か否かを検証することに用い、図１９ｇは本発明の実施例に係わる検証一致性保護および／または完全性アルゴリズム要求のフロチャートを示す図である。図１９ｇに示すよう、当該プロセスは以下のようなステップを含む。
【００９６】
ステップＳ１９ｇ０２、ＣＰ−ｅＮＢが、一致性保護アルゴリズムの配置、完全性アルゴリズムの配置の少なくとも１つを含む一致性保護および／または完全性アルゴリズムの検証要求をＵＰ−ｅＮＢに送信する。
ステップＳ１９ｇ０４、ＵＰ−ｅＮＢが一致性保護および／または完全性アルゴリズムの検証を行ってから、一致性保護の検証結果、完全性アルゴリズムの検証結果の少なくとも１つを含む検証結果をＣＰ−ｅＮＢに応答する。
【００９７】
メッセージ８：底層同期報告であり、底層の検知した同期ステータスの報告に用いる。図１９ｈは本発明の実施例に係わる底層同期ステータス報告のフロチャートを示す図である。図１９ｈに示すように、当該プロセスは以下のようなステップを含む。
【００９８】
ステップＳ１９ｈ０２、ＵＰ−ｅＮＢが規則によりＵＥとの同期状態を検知し、少なくとも同期、脱調の１つを含む底層同期ステータスを送信する。
【００９９】
メッセージ９：セルステータス報告であり、底層で検知したセルステータスの報告に用い、図１９ｉは本発明の実施例に係わるセルステータス報告のフロチャートを示す図である。図１９ｉに示すように、当該プロセスは以下のようなステップを含む。
【０１００】
ステップＳ１９ｉ０２、ＵＰ−ｅＮＢが規則によりサービスセルの活性化ステータスを検知し、セル脱活性化を少なくとも含むセルステータスをＣＰ−ｅＮＢに送信する。
【０１０１】
実施例二、本実施例はＸｃインターフェースの情報交互を説明する。
メッセージ１、Ｘｃ確立であり、Ｘｃインターフェースの確立に用いられ、図２０ａは本発明の実施例に係わるＸｃインターフェースの確立のフローチャート図である。図２０ａに示すように当該プロセスは以下のようなステップを含む。
【０１０２】
ステップＳ２０ａ０２、ＣＰ−ｅＮＢが、少なくともＣＰ−ｅＮＢのアイデンティティ、ＣＰ−ｅＮＢの名称の１つを含むＸｃ確立要求をＵＰ−ＣＷに送信する。
ステップＳ２０ａ０４：ＵＰ−ＣＷは確立要求を受信し、関連リソースを保留し、関連配置をして、確立結果、失敗原因、ＵＰ−ＧＷのアイデンティティ、ＵＰ−ＧＷの名称という情報の少なくとも１つを含むＸｃ確立応答をＣＰ−ｅＮＢに応答する。
【０１０３】
メッセージ２、Ｘｃリリースであり、Ｘｃインターフェースのリリースに用いられ、図２０ｂは本発明の実施例に係わるＸｃインターフェースのリリースのフローチャート図である。図２０ｂに示すように、当該プロセスは以下のようなステップを含む。
【０１０４】
ステップＳ２０ｂ０２、ＣＰ−ｅＮＢが、ＣＰ−ｅＮＢのアイデンティティ、ＣＰ−ｅＮＢの名称の少なくとも１つを含むＸｃリリース要求をＵＰ−ＣＷに送信する。
ステップＳ２０ｂ０４、ＵＰ−ＧＷはリリース要求を受信し、関連リソースをリリースし、ＵＰ−ＧＷのアイデンティティ、ＵＰ−ＧＷの名称の少なくとも１つを含むＸｃリリース応答をＣＰ−ｅＮＢにに応答する。
【０１０５】
メッセージ３：Ｘｃ配置であり、ＵＰ−ＧＷの配置に用い、ＣＰ−ｅＮＢにより制御され、図２０ｃは本発明の実施例に係わるＸｃインターフェース配置のフロチャートを示す図である。図２０ｃに示すように、当該プロセスは以下のようなステップを含む。
【０１０６】
ステップＳ２０ｃ０２、ＣＰ−ｅＮＢが、ＵＰ−ｅＮＢのアイデンティティ、ＵＰ−ｅＮＢの名称、ＵＰ−ｅＮＢのＩＰアドレスなどの少なくとも１つを含むＸｃ配置要求をＵＰ−ＧＷに送信する。
ステップＳ２０ｃ０４、ＵＰ−ＧＷが確立要求を受信し、関連リソースを保留し、関連配置をして、配置結果など少なくとも１つを含むＸｃ配置応答をＣＰ−ｅＮＢにに応答する。
【０１０７】
実施例三、本実施例はＸｇインターフェースの情報交互を説明する。
メッセージ１、Ｘｇ確立であり、Ｘｇインターフェースの確立に用いられ、図２１ａは本発明の実施例に係わるＸｇインターフェースの確立のフローチャート図一である。図２１ａに示すように当該プロセスは以下のようなステップを含む。
【０１０８】
ステップＳ２１ａ０２、ＵＰ−ｅＮＢが、少なくともＵＰ−ｅＮＢのアイデンティティ、ＵＰ−ｅＮＢの名称、ＵＰ−ｅＮＢのＩＰアドレスの１つを含むＸｇ確立要求をＵＰ−ＧＷに送信する。
ステップＳ２１ａ０４、ＵＰ−ｅＮＢが確立要求を受信し、関連リソースを保留し、関連配置をして、確立結果、失敗原因、ＵＰ−ＧＷのアイデンティティ、ＵＰ−ＧＷのＩＰアドレスの少なくとも１つを含むＸｇ確立応答をＵＰ−ｅＮＢに応答する。
ステップＳ２１ａ０６、ＵＰ−ＧＷとＳＧＷ間で関連チャネルを確立する。
【０１０９】
図２１ｂは本発明の実施例に係わるＸｇインターフェース確立のフローチャート図二である。図２１ｂに示すように、当該プロセスは以下のようなステップを含む。
【０１１０】
ステップＳ２１ｂ０２、ＣＰ−ｅＮＢが、少なくともＵＰ−ｅＮＢのアイデンティティ、ＵＰ−ｅＮＢの名称、ＵＰ−ｅＮＢのＩＰアドレスの１つを含むＸｇ確立要求をＵＰ−ＧＷに送信する。
ＣＰ−ｅＮＢが、少なくともＵＰ−ＧＷのアイデンティティ、ＵＰ−ＧＷの名称、ＵＰ−ＧＷのＩＰアドレスのいずれかを含むＸｇ確立要求をＵＰ−ｅＮＢに送信する。
ステップＳ２１ｂ０４、ＵＰ−ＧＷが確立要求を受信し、関連リソースを保留し、関連配置をして、確立結果、失敗原因、ＵＰ−ＧＷのアイデンティティ、ＵＰ−ＧＷのＩＰアドレスの少なくとも１つを含むＸｇ確立応答をＣＰ−ｅＮＢに応答する。
ＵＰ−ｅＮＢが確立要求を受信し、関連リソースを保留し、関連配置をして、確立結果、失敗原因、ＵＰ−ｅＮＢのアイデンティティ、ＵＰ−ｅＮＢのＩＰ情報の少なくとも１つを含むＸｇ確立応答をＣＰ−ｅＮＢに応答する。
ステップＳ２１ｂ０６、ＵＰ−ＧＷとＳＧＷ間で関連チャネルを確立する。
【０１１１】
メッセージ２：Ｘｇリリースであり、Ｘｇインターフェースのリリースに用いられ、図２１ｃは本発明の実施例に係わるＸｇインターフェースのリリースのフローチャート図一である。図２１ｃに示すように、当該プロセスは以下のようなステップを含む。
【０１１２】
ステップＳ２１ｃ０２、ＵＰ−ｅＮＢが、ＵＰ−ｅＮＢのアイデンティティ、ＵＰ−ｅＮＢの名称の少なくとも１つを含むＸｇリリース要求をＵＰ−ｅＮＢに送信する。
ステップＳ２１ｃ０４、ＵＰ−ＧＷはリリース要求を受信し、関連リソースをリリースし、関連配置をして、ＵＰ−ＧＷのアイデンティティ、ＵＰ−ＧＷの名称の少なくとも１つを含むＸｇリリース応答をＵＰ−ｅＮＢにに応答する。
ステップＳ２１ｃ０６、ＵＰ−ＧＷとＳＧＷ間で関連チャネルを確立する。
【０１１３】
図２１ｄは本発明の実施例に係わるＸｇインターフェースリリースのフローチャート図二である。図２１ｄに示すように、当該プロセスは以下のようなステップを含む。
【０１１４】
ステップＳ２１ｄ０２、ＵＰ−ｅＮＢが、ＵＰ−ｅＮＢのアイデンティティ、ＵＰ−ｅＮＢの名称の少なくとも１つを含むＸｇリリース要求をＵＰ−ｅＮＢに送信する。
ＣＰ−ｅＮＢが、ＵＰ−ｅＮＢのアイデンティティ、ＵＰ−ｅＮＢの名称、ＵＰ−ｅＮＢのＩＰアドレスの少なくとも１つを含むＸｇリリース要求をＵＰ−ｅＮＢに送信する。
ステップＳ２１ｄ０４、ＵＰ−ＧＷはリリース要求を受信し、関連リソースをリリースし、関連配置をして、ＵＰ−ＧＷのアイデンティティ、ＵＰ−ＧＷの名称の少なくとも１つを含むＸｇリリース応答をＵＰ−ｅＮＢに応答する。
ＵＰ−ｅＮＢはリリース要求を受信し、関連リソースをリリースし、関連配置をして、ＵＰ−ｅＮＢのアイデンティティ、ＵＰ−ｅＮＢのＩＰ情報の少なくとも１つを含むＸｇリリース応答をＵＰ−ｅＮＢに応答する。
ステップＳ２１ｄ０６、ＵＰ−ＧＷとＳＧＷ間で関連チャネルを確立する。
【０１１５】
メッセージ３：データ伝達であり、ＵＰ−ＧＷとＵＰ−ｅＮＢとの間の伝達に用い、図２１ｅは本発明の実施例に係わるデータ伝達のフローチャート図である。図２１ｅに示すように、当該フロチャートは以下のステップを含む。
【０１１６】
ステップＳ２１ｅ０２、ＵＰ−ＧＷがＳＧＷからのユーザ面関連データを受信し、ＵＰ−ｅＮＢに伝達する。
ステップＳ２１ｅ０４、ＵＰ−ｅＮＢがＵＥからのユーザ面関連データを受信し、ＵＰ−ＧＷに送信し、さらにＳＧＷに送信する。
【０１１７】
実施例四：当該実施例は、ＵＥが新しいセルのみとデータ接続がある場面で、ＸｃとＸｕインターフェースはいずれも確立済みで、ＣＰ−ｅＮＢとＣＰ−ＧＷとは合弁したものである場合、Ｘｃインターフェースが確立しなくてもよい、または内部インターフェースとすることができる。図２２は本発明の実施例に係わるＵＥが新しいセルのみとデータ接続処理を有するフローチャート図である。図２２に示すように、当該プロセスは以下のようなステップを含む。
【０１１８】
ステップＳ２２０２、ＵＥがＣＰ−ｅＮＢにおけるセルでＲＲＣ接続を確立し、成功にアクセスして、ＵＥとＣＰ−ｅＮＢにおけるセルとが制御面データストリーム交互とユーザ面データストリーム交互を通常通りに行う。
ステップＳ２２０４、ＣＰ−ｅＮＢにおけるセルがＵＥに対して測定制御して、ＵＰ−ｅＮＢ１とＵＰ−ｅＮＢ２におけるセルに対して測定するようにＵＥに指示する。
ステップＳ２２０６、ＵＥがＵＰ−ｅＮＢ１とＵＰ−ｅＮＢ２におけるセルに対して測定し、測定レポートを報告する。
ステップＳ２２０８、ＣＰ−ｅＮＢが測定レポートにより、ユーザ面データストリームをＵＰ−ｅＮＢ１におけるセルに移転することを決定し、ＵＰ−ＧＷが存在しない場合、ＵＰ−ＧＷとＵＰ−ｅＮＢ１との間のインターフェースを確立しなくても良い。ＵＰ−ＧＷが存在する場合、ＵＰ−ＧＷとＵＰ−ｅＮＢ１との間のインターフェースを確立することになる。この２つのステップは前後順序がない。その中、ＵＰ−ＧＷとＵＰ−ｅＮＢ１との間のインターフェースを確立するには、２種類の方法がある。実施例三を参照することができる。
ステップＳ２２１０、移転が完成してから、ＵＥとＣＰ−ｅＮＢにおけるセルが通常通りの制御面データストリーム交互をして、途中にはＵＰ−ｅＮＢ１により転送され、ＵＥとＵＰ−ｅＮＢ１におけるセルとが通常通りのユーザ面データストリーム交互をして、途中にはＵＰ−ＧＷにより転送されてからＳＧＷに送信する、または直接ＳＧＷに送信する。
ステップＳ２２１２、ＣＰ−ｅＮＢにおけるセルはＵＥに対して測定制御をして、ＵＰ−ｅＮＢ１とＵＰｅＮＢ２におけるセルに対して測定するようにＵＥに指示する。
ステップＳ２２１４、ＵＥがＵＰ−ｅＮＢ１とＵＰ−ｅＮＢ２におけるセルに対して測定し、測定レポートを報告する。
ステップＳ２２１６、ＣＰ−ｅＮＢが測定レポートにより、ユーザ面データストリームをＵＰ−ｅＮＢ２におけるセルに移転することを決定し、ＵＰ−ＧＷが存在しない場合、ＵＰ−ＧＷとＵＰ−ｅＮＢ２との間のインターフェースを確立しなくても良い。ＵＰ−ＧＷが存在する場合、ＵＰ−ＧＷとＵＰ−ｅＮＢ２との間のインターフェースを確立し、ＵＰ−ＧＷとＵＰ−ｅＮＢ１との間のインターフェースをリリースすることになる。これらのステップは前後順序がない。その中、ＵＰ−ＧＷとＵＰ−ｅＮＢ２との間のインターフェースの確立は、ステップ４と同様である。
ステップＳ２２１８、移転が完成してから、ＵＥとＣＰ−ｅＮＢにおけるセルが通常通りの制御面データストリーム交互をして、途中にはＵＰ−ｅＮＢ２により転送され、ＵＥとＵＰ−ｅＮＢ２におけるセルとが通常通りのユーザ面データストリーム交互をして、途中にはＵＰ−ＧＷにより転送されてからＳＧＷに送信する、または直接ＳＧＷに送信する。
【０１１９】
実施例五：この実施例はＵＥが新しいセルと既存セルとのいずれもデータ接続があるもので、ＸｃとＸｕインターフェースとも確立済みで、ＣＰ−ｅＮＢとＣＰ−ＧＷとが合弁したものである場合、Ｘｃインターフェースを確立しなくてもよく、または内部インターフェースにすることができる。図２３は本発明の実施例に係わるＵＥが新しいセルと既存セルとのいずれもデータ接続処理を有するフローチャート図である。図２３に示すように、当該プロセスは以下のステップを含む。
【０１２０】
ステップＳ２３０２、ＵＥがＣＰ−ｅＮＢにおけるセルでＲＲＣ接続を確立し、成功にアクセスして、ＵＥとＣＰ−ｅＮＢにおけるセルとが制御面データストリーム交互とユーザ面データストリーム交互を通常通りに行う。
ステップＳ２３０４、ＣＰ−ｅＮＢにおけるセルがＵＥに対して測定制御して、ＵＰ−ｅＮＢ１とＵＰ−ｅＮＢ２におけるセルに対して測定するようにＵＥに指示する。
ステップＳ２３０６、ＵＥがＵＰ−ｅＮＢ１とＵＰ−ｅＮＢ２におけるセルに対して測定し、測定レポートを報告する。
ステップＳ２３０８、ＣＰ−ｅＮＢが測定レポートにより、ＵＰ−ｅＮＢ１におけるセルを追加することを決定し、ＵＰ−ＧＷが存在しない場合、ＵＰ−ＧＷとＵＰ−ｅＮＢ１との間のインターフェースを確立しなくても良い。ＵＰ−ＧＷが存在する場合、ＵＰ−ＧＷとＵＰ−ｅＮＢ１との間のインターフェースを確立することになる。この２つのステップは前後順序がない。その中、ＵＰ−ＧＷとＵＰ−ｅＮＢ１との間のインターフェースの確立は、実施例四と同様である。
ステップＳ２３１０、追加が完成してから、ＵＥとＣＰ−ｅＮＢにおけるセルが通常通りの制御面データストリーム交互とユーザ面データストリーム交互をして、ＵＥとＵＰ−ｅＮＢ１におけるセルとが通常通りのユーザ面データストリーム交互をして、途中にはＵＰ−ＧＷにより転送されてからＳＧＷに送信する、または直接ＳＧＷに送信する。
ステップＳ２３１２、ＣＰ−ｅＮＢにおけるセルはＵＥに対して測定制御をして、ＵＰ−ｅＮＢ１とＵＰｅＮＢ２におけるセルに対して測定するようにＵＥに指示する。
ステップＳ２３１４、ＵＥがＵＰ−ｅＮＢ１とＵＰ−ｅＮＢ２におけるセルに対して測定し、測定レポートを報告する。
ステップＳ２３１６、ＣＰ−ｅＮＢが測定レポートにより、ユーザ面データストリームをＵＰ−ｅＮＢ１におけるセルをＵＰ−ｅＮＢ２におけるセルに移転することを決定し、ＵＰ−ＧＷが存在しない場合、ＵＰ−ＧＷとＵＰ−ｅＮＢ２との間のインターフェースを確立しなくても良い。ＵＰ−ＧＷが存在する場合、ＵＰ−ＧＷとＵＰ−ｅＮＢ２との間のインターフェースを確立し、ＵＰ−ＧＷとＵＰ−ｅＮＢ１との間のインターフェースをリリースすることになる。これらのステップは前後順序がない。その中、ＵＰ−ＧＷとＵＰ−ｅＮＢ２との間のインターフェースの確立は、ステップ４と同様である。
ステップＳ２３１８、移転が完成してから、ＵＥとＣＰ−ｅＮＢにおけるセルが通常通りの制御面データストリーム交互とユーザ面データストリーム交互をして、ＵＥとＵＰ−ｅＮＢ２におけるセルとが通常通りのユーザ面データストリーム交互をして、途中にはＵＰ−ＧＷにより転送されてからＳＧＷに送信する、または直接ＳＧＷに送信する。
【０１２１】
実施例六：この実施例において、最初はＵＥが新しいセルのみとデータ接続があり、後続は新しいセルを追加し、ＵＥが２つの新しいセルとのいずれもデータ接続があるようになるもので、ＸｃとＸｕインターフェースはすべて確立済みで、ＣＰ−ｅＮＢとＣＰ−ＧＷとが合弁するものである場合、Ｘｃインターフェースを確立しなくてもよく、または内部インターフェースになる。図２４は本発明の実施例に係わるＵＥが２つの新しいセルのいずれともデータ接続処理を有するフローチャート図である。図２４に示すように、当該プロセスは以下のようなステップを含む。
【０１２２】
ステップＳ２４０２、ＵＥがＵＰ−ｅＮＢ１におけるセルでＲＲＣ接続を確立し、ＵＰ−ＧＷが存在する場合、ＵＰ−ＧＷとＵＰ−ｅＮＢ１との間のインターフェースを確立することになる。この２つのステップは前後順序がない。
ステップＳ２４０４、ＵＥとＵＰ−ｅＮＢ１におけるセルとが通常通りの制御面データストリーム交互をして、ＣＰ−ｅＮＢにより処理されてからＭＭＥに送信され、ＵＥとＵＰ−ｅＮＢ１におけるセルとが通常通りのユーザ面データストリーム交互をして、ＵＰ−ＧＷにより転送されてからＳＧＷに送信する、または直接ＳＧＷに送信する。
ステップＳ２４０６、ＣＰ−ｅＮＢ１がＵＥに対して測定制御をして、ＵＰ−ｅＮＢ１によりＵＰ−ｅＮＢとＵＰ−ｅＮＢ２におけるセルに対して測定するようにＵＥに指示する。
ステップＳ２４０８、ＵＥがＵＰ−ｅＮＢ１とＵＰ−ｅＮＢ２におけるセルに対して測定し、測定レポートを報告する。
ステップＳ２２１０、ＣＰ−ｅＮＢが測定レポートにより、ＵＰ−ｅＮＢ２におけるセルを追加することを決定し、ＵＰ−ＧＷが存在しない場合、ＵＰ−ＧＷとＵＰ−ｅＮＢ２との間のインターフェースを確立しなくても良い。ＵＰ−ＧＷが存在する場合、ＵＰ−ＧＷとＵＰ−ｅＮＢ２との間のインターフェースを確立することになる。この２つのステップは前後順序がない。
ステップＳ２２１２、追加が完成してから、ＵＥとＵＰ−ｅＮＢ１におけるセルが通常通りの制御面データストリーム交互をして、ＣＰ−ｅＮＢ２により処理してからＭＭＥに送信され、ＵＥとＵＰ−ｅＮＢ１におけるセルとが通常通りのユーザ面データストリーム交互をして、ＵＰ−ＧＷにより転送されてからＳＧＷに送信する、または直接ＳＧＷに送信する。ＵＥとＵＰ−ｅＮＢ２におけるセルが通常通りの制御面データストリーム交互をして、ＣＰ−ｅＮＢにより処理してからＭＭＥに送信され、ＵＥとＵＰ−ｅＮＢ２におけるセルとが通常通りのユーザ面データストリーム交互をして、ＵＰ−ＧＷにより転送されてからＳＧＷに送信する、または直接ＳＧＷに送信する。
【０１２３】
以下、セルシステムのネットワークトポロジー図面に対して本発明の実施例および好適な実施形態について説明する。
【０１２４】
基地局で例えばＵＥ関係の制御面コンテキストなどのユーザ情報の頻繁な伝送を減少するために、ユーザ面ゲートウェイを配置し、マイクロセルは、あるマイクロセルゲートウェイというネットワークノードによりコアネットワークに接続することができる、または直接コアネットワークに接続することができる。このチャネルはマクロセルにより制御管理され、制御面は相変わらず端末によりマクロセルを介しコアネットワークとシグナリングチャネルを確立する。図２５は本発明の実施例に係わるセルシステムに基づいたネットワークトポロジーを示す図である。図２５に示すように、マイクロセルとマクロセルとはカバレッジの重なったエリアがある場合、端末が同時にマクロセルおよびマイクロセルと無線リンクアクセスがある。マイクロセルとマクロセルとの間に物理またはロジック接続があり、Ｘｘインターフェースという。マクロセルとマイクロセルとの間にＳ１インターフェースがある。マイクロセルがあるマイクロセルゲートウェイというネットワークノードによりコアネットワークに接続される。
【０１２５】
端末はマクロセルによりコアネットワークとシグナリングチャネルを確立した、即ち端末とマクロセルとの間には、すでに無線アクセスレイヤの無線ベアラ（ＳＲＢ）およびマクロセルとコアネットワークとの間のＳ１シグナリングアクセスが確立されている。Ｓ１インターフェースにおいて、端末がマクロセルとコアネットワークとの間のシグナリング接続は、端末がマクロセルにおけるアイデンティティｅＮＢ  ＵＥ  ＳＩＡＰ  ＩＤと端末がコアネットワークにおけるアイデンティティＭＭＥ  ＵＥ  ＳＩＡＰ  ＩＤという１ペアの端末アイデンティティにより示される。
【０１２６】
以下、セルシステムのアーキテクチャにおける各ノードの機能について説明する。
【０１２７】
コアネットワーク：ＬＴＥシステムＲｅｌｅａｓｅ１１のコアネットワークの既存の機能の他、マイクロセルゲートウェイとの間でＧＴＰ−Ｕチャネルを確立することをサポートする機能を有する。
【０１２８】
マクロセル：ＬＴＥシステムＲｅｌｅａｓｅ１１の基地局の備える機能の他、マイクロセルとの間でＸｘインターフェースのシグナリング接続を確立することをサポートし、マイクロセルとコアネットワークとの間でのＧＴＰ−Ｕチャネルの確立、削除または更新を協調する機能を有する。マクロセルは端末とマイクロセルとの間で無線ベアラを確立することができる。Ｘｘインターフェースはさらにマイクロセルとマクロセルとの間でＩＰデータパケットのフォワード機能をサポートする。
【０１２９】
マイクロセル：端末との間にＬＴＥシステムのデータ無線ベアラ（ＤＲＢ）を確立するように支持し、且つデータ無線ベアラに通信を実行する全ての機能を備える。マイクロセルがコアネットワーク間でＧＴＰ−Ｕチャネルの確立、削除または更新をし、このＧＴＰ−Ｕチャネルが一つのマイクロセルを通過する可能性がある。
マイクロセルゲートウェイ：マイクロセルとコアネットワークとの間でＧＴＰ−Ｕチャネルの確立、削除および更新を含む管理をサポートする。ある端末のあるＥ−ＲＡＢがマイクロセル間で移転がある場合、マイクロセルゲートウェイはマイクロセルゲートウェイとコアネットワークとの間のＧＴＰ−Ｕチャネルを保持することで、この移転によるコアネットワークに対する可能な影響を避ける。マイクロセルゲートウェイがマクロセルにとって透明な存在である。
【０１３０】
図２６〜２９はセルネットワークシステムにおけるＵｕインターフェース、Ｘｘインターフェース、Ｓ２インターフェースのプロトコルスタック図である。その中、図２６は本発明の好適な実施例に係わるＵｕインターフェースのプロトコルスタック図である。図２７は本発明の好適な実施例に係わるＸｘインターフェースのプロトコルスタック図である。図２８は本発明の好適な実施例に係わるＳ２インターフェース（ＧＷなし）のプロトコルスタック図である。図２９は本発明の好適な実施例に係わるＳ２インターフェース（ＧＷあり）のプロトコルスタック図である。
【０１３１】
好適な実施例一：無線ベアラの確立と削除であり、図３０は本発明の実施例に係わる無線ベアラの確立と削除のフローチャート図である。図３０に示すように、当該プロセスは以下のようなステップを含む。
【０１３２】
ステップＳ３００２、端末とマクロセルとの間はＬＴＥシステムの既存プロセスによりＲＲＣ接続、即ち無線アクセスシグナリングベアラ（ＳＲＢベアラ）を確立する。
ステップＳ３００４、マクロセルが端末に測定タスクを配置し、マイクロセルも測定の対象にする。
ステップＳ３００６、端末が、マイクロセルのアイデンティティ情報およびマイクロセルのＲＲＭ測定結果などのマイクロセル測定結果を含む測定結果を報告する。
ステップＳ３００８、マクロセルが確立または削除すべき無線ベアラの配置情報を少なくとも含む端末のコンテキスト情報を無線ベアラ配置要求メッセージに含ませてマイクロセルに送信する。初めて当該マイクロセルで当該端末の無線ベアラを確立する場合、メッセージには少なくとも端末の無線能力情報を含む。当該メッセージはある無線ベアラを削除することを要求する場合、マイクロセルと当該無線ベアラの関連ユーザ面のデータはマクロセルにフォワードされることになる。
ステップＳ３０１０、マイクロセルが端末のコンテキスト情報を保存してから、マクロセルに無線ベアラ配置確認メッセージを送信する。ｓｔｅｐ４の目的は無線ベアラである場合、このステップには、マイクロセルがこの無線ベアラに対する配置情報を含む。
ステップＳ３０１２、マクロセルが、マイクロセルのフィードバックする当該無線ベアラの無線配置をＲＲＣ再配置メッセージに含ませて端末に転送し、初めてマイクロセルで当該端末の無線ベアラを配置する場合、メッセージにはさらにマイクロセルに対する説明情報を含むことになる。
ステップＳ３０１４、端末がＲＲＣ再配置完成メッセージをマクロセルにフィードバックし、無線ベアラの確立または削除を表し、このメッセージはマクロセルによりマイクロセルにフィードバックする。
ステップＳ３０１６、マクロセルがマイクロセルに無線ベアラ配置完成をフィードバックする。
【０１３３】
測定段階では、端末がすでにマイクロセルの下り同期情報を取得した。端末とマイクロセルとの間のタイミングアドバンスは０とデフォルトする。技術上の原因はマイクロセルのカバレッジ範囲はＬＴＥシステムＴＡ＝１により代表できる範囲より遥かに小さいため、別の上がり同期のプロセスを要しない。マイクロセルは端末の確認メッセージを取得してから、端末との間のデータ通信を開始することができる。このプロセスの目標はある端末とマイクロセルとの間のすでに確立した無線ベアラを削除することである場合、マイクロセルが配置確認を取得してから、この無線ベアラのスケジューリングを中止することになる。
【０１３４】
好適な実施形態二：ＧＴＰ−Ｕチャネルの確立と削除、図３１は本発明の実施例に係わるＧＴＰ−Ｕチャネルの確立と削除のフローチャート図である。図３１に示すように、当該プロセスは以下のようなステップを含む。
【０１３５】
なお、以下のすべてのプロセスにおいて、マイクロセル、マイクロセルゲートウェイおよびコアネットワーク間のシグナリングには、シグナリング接続のアイデンティティはマクロセルとコアネットワークとの間のシグナリングアイデンティティ、即ち端末がマクロセルにおけるアイデンティティｅＮＢ  ＵＥ  ＳＩＡＰ  ＩＤと端末がコアネットワークにおけるアイデンティティＭＭＥ  ＵＥ  ＳＩＡＰ  ＩＤを援用している。こうして、コアネットワークから見れば、コアネットワークと無線アクセスネットワークとの間のシグナリング接続は一本しかない。
【０１３６】
ステップＳ３１０２、コアネットワークはＳ１インターフェースにより、少なくともある無線アクセスベアラ（Ｅ−ＲＡＢ）に対応するＧＴＰ−Ｕチャネルがコアネットワークの伝送アドレス（ＴＮＬ−ａｄｄｒｅｓｓ−ＣＮ）とＧＴＰ−Ｕチャネルの仮想アクセスアイデンティティＧＴＰ−ＴＥＩＤ−ＣＮ、およびＥ−ＲＡＢ関係の情報を含む無線アクセスベアラ管理メッセージをマクロセルに送信する。
ステップＳ３１０４、マクロセルが、上記ＴＮＬ  ａｄｄｒｅｓｓ−ＣＮとＧＴＰ−ＴＥＩＤ−ＣＮ、およびＥ−ＲＡＢ関連の情報を少なくとも含む無線ベアラ配置要求メッセージをマイクロセルに送信する。
ステップＳ３１０６、マイクロセルがマイクロセルゲートウェイに、上記ＴＮＬ  ａｄｄｒｅｓｓ−ＣＮとＧＴＰ−ＴＥＩＤ−ＣＮ、およびＥ−ＲＡＢに対応するＧＴＰ−Ｕチャネルがマイクロセルにおける伝送レイヤアドレス（ＴＮＬ−ａｄｄｒｅｓｓ−ＳＣ）とＧＴＰ−Ｕチャネルの仮想接続アイデンティティＧＴＰ−ＴＥＩＤ−ＳＣおよびＥ−ＲＡＢの関連情報を少なくとも含む上記ＧＴＰ−Ｕチャネル確立要求メッセージを送信する。ネットワーク構造にはマイクロセルゲートウェイがない場合、このメッセージが直接コアネットワークに送信され、プロセスがここで終了する。
ステップＳ３１０８、マイクロセルが、当該Ｅ−ＲＡＢに対応するＧＴＰ−Ｕチャネルがマイクロセルゲートウェイにおける伝送レイヤアドレス（ＴＮＬ  ａｄｄｒｅｓｓ−ＳＣ）とＧＴＰ−Ｕチャネルの仮想接続アイデンティティＧＴＰ−ＴＥＩＤ−ＳＧＷ−ＳＣ、およびＥ−ＲＡＢの関連情報を少なくとも含むＧＴＰ−Ｕチャネル確立確認メッセージを送信する。
ステップＳ３１１０、マイクロセルが無線ベアラ配置確認メッセージをマクロセルに送信し、コアネットワークのＧＴＰ−Ｕチャネルの確立が確認される。
ステップＳ３１１２、マイクロセルゲートウェイが、上記ＴＮＬ  ａｄｄｒｅｓｓ−ＣＮとＧＴＰ−ＴＥＩＤ−ＣＮおよびＥ−ＲＡＢに対応するＧＴＰ−Ｕチャネルがマイクロセルゲートウェイにおける伝送レイヤアドレス（ＴＮＬ  ａｄｄｒｅｓｓ−ＣＮ）とＧＴＰ−Ｕチャネルの仮想接続アイデンティティＧＴＰ−ＴＥＩＤ−ＳＧＷ−ＣＮおよびＥ−ＲＡＢの関連情報を少なくとも含むメッセージをコアネットワークに送信する。
【０１３７】
好適な実施例三：ＧＴＰ−Ｕチャネルの削除プロセスであり、図３２は本発明の実施例に係わるＧＴＰ−Ｕチャネルの削除のフローチャート図である。図３２に示すように、当該プロセスは以下のステップを含む。
【０１３８】
ステップＳ３２０２、マクロセルが、削除すべきＧＴＰ−Ｕチャネルに対応するＥ−ＲＡＢの情報を少なくとも含む無線ベアラ配置要求メッセージをマイクロセルに送信する。
ステップＳ３２０４、マイクロセルがマイクロセルゲートウェイに、削除すべきＧＴＰ−Ｕチャネルの対応するＥ−ＲＡＢのメッセージを少なくとも含むＧＴＰ−Ｕチャネル削除要求メッセージを送信する。マイクロセルゲートウェイが存在しない場合、このメッセージを直接コアネットワークに送信し、プロセスが終了する。
ステップＳ３２０６、マイクロセルゲートウェイが、少なくとも削除すべきＧＴＰ−Ｕチャネルに対応するＥ−ＲＡＢのメッセージを含むＧＴＰ−Ｕチャネル削除確認メッセージをマイクロセルに送信する。
ステップＳ３２０８、マイクロセルゲートウェイが、少なくとも削除すべきＧＴＰ−Ｕチャネルの対応するＥ−ＲＡＢのメッセージをコアネットワークに送信する。
【０１３９】
好適な実施例四：ＧＴＰ−Ｕチャネル変換プロセスであり、図３３は本発明の実施例に係わるＧＴＰ−Ｕチャネル変換のフローチャート図である。図３３に示すように、当該プロセスは以下のステップを含む。
【０１４０】
既存条件はコアネットワークとマイクロセル１との間にあるＥ−ＲＡＢについてＧＴＰ−Ｕチャネルが確立されていることである。このＧＴＰ−Ｕチャネルはコアネットワーク、マイクロセル及びマイクロセルゲートウェイとマイクロセル１との間の２段階のＧＴＰ−Ｕチャネルから構成される。以下のプロセスは端末がマイクロセル間で送信し移動する場合、ＧＴＰ−Ｕチャネルの管理はコアネットワークに影響しなく、無線側に大量のマイクロセルを導入することを可能にしている。
【０１４１】
ステップＳ３３０２、端末がマイクロセル１からマイクロセル２に移動する場合、マクロセルからマイクロセル２に無線ベアラ配置過程を呼び起こす。その中、無線ベアラ配置要求メッセージには、少なくとも当該Ｅ−ＲＡＢに関連する情報を含む。
ステップＳ３３０４、マイクロセル２がマイクロセルゲートウェイに、少なくとも当該Ｅ−ＲＡＢに関連する情報、及び当該Ｅ−ＲＡＢに対応するＧＴＰ−Ｕチャネルがマイクロセル２における伝送レイヤアドレス（ＴＮＬ  ａｄｄｒｅｓｓ−ＳＣ２）とＧＴＰ−Ｕチャネルの仮想接続アイデンティティＧＴＰ−ＴＥＩＤ−ＳＣ２を含むＧＴＰ−Ｕチャネル確立要求メッセージを送信し、ネットワーク構造には、マイクロセルゲートウェイがない場合、このメッセージを直接コアネットワークに送信する。
ステップＳ３３０６、マイクロセルゲートウェイが、少なくとも当該Ｅ−ＲＡＢに対応するＧＴＰ−Ｕチャネルがマイクロセルゲートウェイにおける伝送アドレス（ＴＮＬ  ａｄｄｒｅｓｓ−ＳＧＷ−ＳＣ２）とＧＴＰ−Ｕチャネルの仮想接続アイデンティティＧＴＰ−ＴＥＩＤ−ＳＧＷ−ＳＣ２を含むＧＴＰ−Ｕチャネル確立確認メッセージを送信する。マイクロセルゲートウェイがＥ−ＲＡＢ情報により、当該Ｅ−ＲＡＢのに対応するマイクロセルゲートウェイからコアネットワークまでのＧＴＰ−Ｕチャネルがすでに存在するため、コアネットワークにＧＴＰ−Ｕチャネルに関連する管理情報を送信する必要がない。ネットワーク構造にはマイクロセルゲートウェイが存在しない場合、コアネットワークがＧＴＰ−Ｕチャネル確立確認情報を送信する。
ステップＳ３３０８、マイクロセル２は無線ベアラ配置確認情報をマクロセルに送信し、ＧＴＰ−Ｕチャネルの確立が成功したことを確認する。
ステップＳ３３１０、マクロセルが、削除すべきＥ−ＲＡＢに関連する情報を含む無線ベアラ配置要求メッセージをマイクロセル１に送信し、マイクロセル１からコアネットワークまでのＧＴＰ―Ｕチャネルを削除するように要求する。マイクロセル１は当該Ｅ−ＲＡＢに関連するデーターパケットをマクロセルにフォワードすることになる。
ステップＳ３３１２、マイクロセル１が、削除すべきＥ−ＲＡＢに関連する情報を少なくとも含むＧＴＰ−Ｕチャネル削除要求メッセージをマイクロセルゲートウェイに送信する。マイクロセルゲートウェイがすでに当該Ｅ−ＲＡＢのためにゲートウェイとマイクロセル２との間でＧＴＰ−Ｕチャネルを確立したため、コアネットワークに当該メッセージを転送しなく、これによって、コアネットワークに対する影響を回避する。ネットワーク構造にはマイクロセルゲートウェイがない場合、このメッセージが直接コアネットワークに送信する。
【０１４２】
言うまでもなく、上述した本発明の各モジュールまたはステップは、汎用のコンピュータ装置により実現することができ、単一のコンピュータ装置に集成してもよいし、複数のコンピュータ装置からなるネットワークに配置してもよい。また、コンピュータ装置が実行可能なプログラムコードにより実現されてもよい。これにより、記憶装置に記憶されてコンピュータ装置により実行されることができる。或いは、それぞれ各々の集積回路モジュールに作成したり、それらの中の複数のモジュールまたはステップを単一の集積回路モジュールに作成したりして実現することができる。このように、本発明は、いずれの特定のハードウェアとソフトウェアの組み合わせにも限定されない。
【０１４３】
以上は、本発明の好適な実施例に過ぎず、本発明を限定するものではない。当業者であれば、本発明の様々な変更や変形が可能である。本発明の精神や原則を逸脱しないいずれの変更、置換、改良なども本発明の保護範囲内に含まれる。
【図１】
2016507976.tif 000003
【図２】
2016507976.tif 000004
【図３】
2016507976.tif 000005
【図４】
2016507976.tif 000006
【図５】
2016507976.tif 000007
【図６】
2016507976.tif 000008
【図７】
2016507976.tif 000009
【図８】
2016507976.tif 000010
【図９】
2016507976.tif 000011
【図１０】
2016507976.tif 000012
【図１１】
2016507976.tif 000013
【図１２】
2016507976.tif 000014
【図１３】
2016507976.tif 000015
【図１４】
2016507976.tif 000016
【図１５】
2016507976.tif 000017
【図１６】
2016507976.tif 000018
【図１７ａ】
2016507976.tif 000019
【図１７ｂ】
2016507976.tif 000020
【図１８】
2016507976.tif 000021
【図１９ａ】
2016507976.tif 000022
【図１９ｂ】
2016507976.tif 000023
【図１９ｃ】
2016507976.tif 000024
【図１９ｄ】
2016507976.tif 000025
【図１９ｅ】
2016507976.tif 000026
【図１９ｆ】
2016507976.tif 000027
【図１９ｇ】
2016507976.tif 000028
【図１９ｈ】
2016507976.tif 000029
【図１９ｉ】
2016507976.tif 000030
【図２０ａ】
2016507976.tif 000031
【図２０ｂ】
2016507976.tif 000032
【図２０ｃ】
2016507976.tif 000033
【図２１ａ】
2016507976.tif 000034
【図２１ｂ】
2016507976.tif 000035
【図２１ｃ】
2016507976.tif 000036
【図２１ｄ】
2016507976.tif 000037
【図２１ｅ】
2016507976.tif 000038
【図２２】
2016507976.tif 000039
【図２３】
2016507976.tif 000040
【図２４】
2016507976.tif 000041
【図２５】
2016507976.tif 000042
【図２６】
2016507976.tif 000043
【図２７】
2016507976.tif 000044
【図２８】
2016507976.tif 000045
【図２９】
2016507976.tif 000046
【図３０】
2016507976.tif 000047
【図３１】
2016507976.tif 000048
【図３２】
2016507976.tif 000049
【図３３】
2016507976.tif 000050
【国際調査報告】
2016507976.tif 000051
2016507976.tif 000052
2016507976.tif 000053
2016507976.tif 000054
2016507976.tif 000055
2016507976.tif 000056